(57)【要約】【課題】１工程両面印刷装置における製版に関する技術を提供する。【解決手段】用紙Ｐのサイズにかかわらずマスタ６４の先端から第１の距離Ｌ１だけ離れた第１の位置Ａから第１製版画像６５Ａを作成し、第１の位置Ａから第２の距離Ｌ２だけ離れた第２の位置Ｂから第２製版画像６５Ｂを作成して分割製版済みマスタ６５を製版する製版部３を有し、両面印刷時に１枚目の用紙Ｐ１の表面に第１製版画像または第２製版画像の何れか一方を印刷し、印刷された用紙Ｐ１を補助トレイ８に案内した後、２枚目の用紙Ｐ２の表面に第１製版画像または第２製版画像の何れか一方を印刷すると共に再給紙手段９により用紙Ｐ１を再給紙してその裏面に第１製版画像または第２製版画像の何れか他方を印刷し、用紙Ｐ１を排紙部６に、用紙Ｐ２を補助トレイ８にそれぞれ案内する。【選択図】図９
2008168645.tif 000002
【特許請求の範囲】
【請求項１】
原稿上の画像に基づき、両面印刷時においてマスタの長さ方向に第１製版画像と第２製版画像とを有する分割製版済みマスタを製版し、片面印刷時において第１製版画像と第２製版画像との２面分の画像領域をもった第３製版画像を有する製版済みマスタを製版する製版部と、
前記分割製版済みマスタまたは前記製版済みマスタを外周面上に巻装する版胴及び前記版胴に対して接離自在に設けられたプレスローラを有する印刷部と、
用紙を積載する給紙トレイを有し、前記用紙を前記印刷部に向けて給送する給紙部と、
前記印刷部において印刷がなされた印刷済み用紙を機外に排出する排紙部と、
前記印刷部においてその表面に印刷画像を形成された表面印刷済み用紙を一時的に貯容する補助トレイと、
前記補助トレイ上に貯容された表面印刷済み用紙を前記印刷部に向けて再給紙する再給紙手段と、
前記印刷部を通過した用紙を前記補助トレイまたは前記排紙部の何れかに案内する切換部材とを有し、
両面印刷時に、前記給紙部より１枚目の用紙を前記印刷部に給送してその表面に第１製版画像または第２製版画像の何れか一方を印刷し、印刷された１枚目の用紙を前記切換部材により前記補助トレイに案内した後、前記給紙部より２枚目の用紙を前記印刷部に給送してその表面に第１製版画像または第２製版画像の何れか一方を印刷すると共に前記再給紙手段により１枚目の用紙を前記印刷部に再給紙してその裏面に第１製版画像または第２製版画像の何れか他方を印刷し、前記切換部材により１枚目の用紙を前記排紙部に、２枚目の用紙を前記補助トレイにそれぞれ案内し、
片面印刷時に、前記給紙部より用紙を前記印刷部に給送してその表面に第３製版画像を印刷し、印刷された用紙を前記切換部材により前記排紙部に案内する両面印刷装置であって、
両面印刷時において、前記製版部は前記用紙のサイズにかかわらず前記マスタの先端から第１の距離だけ離れた第１の位置から第１製版画像を作成し、その後第１の位置から第２の距離だけ離れた第２の位置から第２製版画像を作成することを特徴とする両面印刷装置。
【請求項２】
原稿上の画像に基づき、両面印刷時においてマスタの長さ方向に第１製版画像と第２製版画像とを有する分割製版済みマスタを製版し、片面印刷時において第１製版画像と第２製版画像との２面分の画像領域をもった第３製版画像を有する製版済みマスタを製版する製版部と、
前記分割製版済みマスタまたは前記製版済みマスタを外周面上に巻装する版胴及び前記版胴に対して接離自在に設けられたプレスローラを有する印刷部と、
用紙を積載する給紙トレイを有し、前記用紙を前記印刷部に向けて給送する給紙部と、
前記印刷部において印刷がなされた印刷済み用紙を機外に排出する排紙部と、
前記印刷部においてその表面に印刷画像を形成された表面印刷済み用紙を一時的に貯容する補助トレイと、
前記補助トレイ上に貯容された表面印刷済み用紙を前記印刷部に向けて再給紙する再給紙手段と、
前記印刷部を通過した用紙を前記補助トレイまたは前記排紙部の何れかに案内する切換部材とを有し、
両面印刷時に、前記給紙部より１枚目の用紙を前記印刷部に給送してその表面に第１製版画像または第２製版画像の何れか一方を印刷し、印刷された１枚目の用紙を前記切換部材により前記補助トレイに案内した後、前記給紙部より２枚目の用紙を前記印刷部に給送してその表面に第１製版画像または第２製版画像の何れか一方を印刷すると共に前記再給紙手段により１枚目の用紙を前記印刷部に再給紙してその裏面に第１製版画像または第２製版画像の何れか他方を印刷し、前記切換部材により１枚目の用紙を前記排紙部に、２枚目の用紙を前記補助トレイにそれぞれ案内し、
片面印刷時に、前記給紙部より用紙を前記印刷部に給送してその表面に第３製版画像を印刷し、印刷された用紙を前記切換部材により前記排紙部に案内する両面印刷装置であって、
両面印刷時において、前記製版部は前記用紙のサイズにかかわらず前記マスタの先端から第３の距離だけ離れた第３の位置のマスタ搬送方向上流側に第１製版画像をマスタ搬送方向下流側に第２製版画像をそれぞれ作成することを特徴とする両面印刷装置。
【請求項３】
請求項１または請求項２記載の両面印刷装置において、
両面印刷時において前記製版部は第１製版画像及び第２製版画像をそれぞれ個別に回転して製版可能であることを特徴とする両面印刷装置。
【請求項４】
請求項３記載の両面印刷装置において、
前記原稿のサイズ及び向きを検知する原稿サイズ検知手段と、前記用紙のサイズ及び向きを検知する用紙サイズ検知手段とを有し、前記用紙の向きに合わせて前記各製版画像を回転して製版することを特徴とする両面印刷装置。
【請求項５】
請求項１ないしの何れか１つに記載の両面印刷装置において、
両面印刷時に前記製版部は左右開きの印刷物が得られる第１の製版動作と上下開きの印刷物が得られる第２の製版動作とを行うことができ、前記製版部に第１の製版動作を行わせるか第２の製版動作を行わせるかを切り換える製版動作切換手段を有することを特徴とする両面印刷装置。
【請求項６】
請求項１ないし５の何れか１つに記載の両面印刷装置において、
両面印刷時に第１製版画像の画像領域及び第２製版画像の画像領域以外の無製版領域における前記マスタの搬送速度を前記各画像領域における前記マスタの搬送速度に比して高速とすることを特徴とする両面印刷装置。
【請求項７】
請求項１ないし６の何れか１つに記載の両面印刷装置において、
前記製版部は前記マスタを切断する切断手段を有し、第２製版画像または第３製版画像の形成後、前記切断手段は前記マスタの前記各画像領域よりもマスタ搬送方向下流側の未製版部分を通常の長さよりも短い長さで切断することを特徴とする両面印刷装置。
【請求項８】
請求項１ないし７の何れか１つに記載の両面印刷装置において、
両面印刷時に前記給紙トレイ上に積載された前記用紙のサイズが前記製版部で製版された通常の長さの前記分割製版済みマスタ及び製版済みマスタのサイズの２分の１を超えた場合に警告を発する警告手段を有することを特徴とする両面印刷装置。
【請求項９】
請求項１ないし８の何れか１つに記載の両面印刷装置において、
前記製版部は第１製版画像及び第２製版画像及び第３製版画像のそれぞれについて印刷物の綴じ代に対応した余白部を形成可能であることを特徴とする両面印刷装置。
【請求項１０】
請求項９記載の両面印刷装置において、
前記余白部の大きさを設定する余白部設定手段を有することを特徴とする両面印刷装置。
【発明の詳細な説明】
【技術分野】
【０００１】
本発明は印刷装置に関し、詳しくは１工程で用紙の両面に印刷を行うことが可能な両面印刷装置の製版関係の技術に関する。
【背景技術】
【０００２】
従来、簡便な印刷方法としてデジタル式感熱孔版印刷が知られている。この孔版印刷装置は、微細な発熱素子が一列に配置されたサーマルヘッドを感熱孔版マスタ（以下、「マスタ」という）に接触させ、パルス的に発熱素子に通電させながらマスタを搬送することで画像情報に応じてマスタを加熱溶融穿孔し、このマスタを多孔性円筒状の版胴の外周面に巻装した後、用紙を介して版胴の外周面をプレスローラ等の押圧手段によって押圧することで、マスタ穿孔部よりインキを透過させてこれを用紙に転移させることにより印刷画像を得るものである。
【０００３】
この孔版印刷において、近年では用紙の消費量及び書類の保管スペースを低減させるため等の目的から、用紙の両面に印刷を行う両面印刷が頻繁に行われるようになってきている。この両面印刷は、従来の方法では給紙部に積載した用紙を印刷部に通紙し、一面に印刷をした後に用紙を裏返して再度印刷部に通紙して他面に印刷をすることで両面印刷物を得ていたが、一度排紙された用紙を再度給紙部にセットしたり片面印刷後の用紙を揃えたりする作業が面倒であるという問題点があった。
【０００４】
また、印刷終了後の印刷物はインキが十分に乾燥していないため、すぐに裏面に印刷しようとすると搬送ローラやプレスローラ等が画像部に押し付けられて印刷画像が汚れたり乱れたりするという不具合が生じ、大抵の場合には数時間以上経過してから裏面への印刷を行っていた。特に、ベタ画像部がある場合には長時間の乾燥が必要であり、翌日になってから裏面への印刷が行われていた。  
このように両面印刷は、一面印刷後に他面に印刷を行うまでには用紙を長時間乾燥させねばならず、しかも印刷部への通紙を２回行うために正味の印刷時間においても片面印刷に比べて２倍の時間を要し、時間がかかりすぎるという問題点があった。
【０００５】
上述の問題点を解決するため、第１の版胴と、用紙搬送路を介して第１の版胴と対向配置された第２の版胴と、第１の版胴の外周面と第２の版胴の外周面とを互いに接離させる接離手段とを具備し、接離手段を作動させて各版胴同士を互いに圧接させることにより１工程で両面印刷物を得る孔版印刷装置が「特許文献１」及び「特許文献２」に開示されている。
【０００６】
また、第１の版胴と、用紙搬送路を介して第１の版胴に対向配置され第１の版胴に対して圧接・離間可能に設けられた第１の押圧手段と、第１の版胴より用紙搬送方向下流側であって用紙搬送路を介して第１の版胴と対向する側に配置された第２の版胴と、用紙搬送路を介して第２の版胴に対向配置され第２の版胴に対して圧接・離間可能に設けられた第２の押圧手段とを具備し、第１の版胴と第１の押圧手段とを圧接させた後、第２の版胴と第２の押圧手段とを圧接させることにより１工程で両面印刷物を得る孔版印刷装置が「特許文献３」及び「特許文献４」に開示されている。
【０００７】
さらに、版胴の回転方向に第１製版画像と第２製版画像とが２面並んだ分割製版済みマスタを用い、何れか一方の製版画像の画像領域と対応させてプレスローラを版胴に直接当接させつつ版胴と共に回転させてプレスローラの外周面に一方の製版画像と対応する第１印刷画像を転写する第１工程と、第１工程後に他方の製版画像の画像領域と第１印刷画像とが対応すべく、印刷用紙を介してプレスローラを版胴に当接させつつ版胴と共に回転させて用紙のプレスローラと対応する第１の面に第１印刷画像を再転写させると同時に、用紙の版胴と対応する第２の面に他方の製版画像と対応する第２印刷画像を転写させる第２工程とにより１工程で両面印刷物を得る孔版印刷方法、及びこれを行う孔版印刷装置が「特許文献５」に開示されている。
【０００８】
【特許文献１】特開平６−  ７１９９６号公報
【特許文献２】特開平６−１３５１１１号公報
【特許文献３】特開平８−  ９０８９３号公報
【特許文献４】特開平８−１４２４７７号公報
【特許文献５】特開平８−３３２７６８号公報
【発明の開示】
【発明が解決しようとする課題】
【０００９】
しかし、「特許文献１」及び「特許文献２」に開示された技術では、２個の版胴を上下に配置してこれらを互いに圧接させる構成であるため片面印刷時においても各版胴同士を圧接させる必要があり、一方の版胴には製版済みマスタを、他方の版胴には未製版のマスタをそれぞれ巻装しなくてはならず、片面印刷時にはマスタが無駄に消費されてしまうという問題点がある。また、外周面上にマスタを保持するためのクランパをそれぞれ有する２個の版胴を互いに圧接させるために各クランパが向かい合う位置では各版胴を離隔させる必要が生じ、印刷速度が速くなるとこの離隔によって互いの版胴が接触する面積が減少して画像量域が減少するため、画像量域を確保するためには各版胴の外径を大きくする必要が生じて装置の小型化が困難となると共に、各版胴の接触時において大きな騒音が発生するという問題点がある。
【００１０】
「特許文献３」及び「特許文献４」に開示された技術では、上述と同様に片面印刷時において一方の版胴に未製版のマスタを巻装する必要があり、マスタが無駄に消費されてしまうという問題点がある。また、用紙搬送方向に２個の版胴を直列に並べているため、片面印刷用の孔版印刷装置に比して装置が２倍近くも大きくなり、その設置スペースの確保が困難になるという問題点がある。
【００１１】
「特許文献５」に開示された技術では、第１製版画像及び第２製版画像（表面画像及び裏面画像）のうちの何れか一方を版胴から用紙に直接転写させ、他方をプレスローラに転写させた後に用紙に再転写させているため、印刷用紙上における画像濃度が表面と裏面とで異なってしまうという問題点がある。
【００１２】
本発明は上述の問題点を解決し、無駄なマスタを用いることなく片面印刷を行うことができると共に両面印刷時には画質良好な印刷物を得ることができ、さらに設置スペースの増大を抑制することが可能な１工程両面印刷装置における製版に関する技術の提供を目的とする。
【課題を解決するための手段】
【００１３】
請求項１記載の発明は、原稿上の画像に基づき、両面印刷時においてマスタの長さ方向に第１製版画像と第２製版画像とを有する分割製版済みマスタを製版し、片面印刷時において第１製版画像と第２製版画像との２面分の画像領域をもった第３製版画像を有する製版済みマスタを製版する製版部と、前記分割製版済みマスタまたは前記製版済みマスタを外周面上に巻装する版胴及び前記版胴に対して接離自在に設けられたプレスローラを有する印刷部と、用紙を積載する給紙トレイを有し、前記用紙を前記印刷部に向けて給送する給紙部と、前記印刷部において印刷がなされた印刷済み用紙を機外に排出する排紙部と、前記印刷部においてその表面に印刷画像を形成された表面印刷済み用紙を一時的に貯容する補助トレイと、前記補助トレイ上に貯容された表面印刷済み用紙を前記印刷部に向けて再給紙する再給紙手段と、前記印刷部を通過した用紙を前記補助トレイまたは前記排紙部の何れかに案内する切換部材とを有し、両面印刷時に、前記給紙部より１枚目の用紙を前記印刷部に給送してその表面に第１製版画像または第２製版画像の何れか一方を印刷し、印刷された１枚目の用紙を前記切換部材により前記補助トレイに案内した後、前記給紙部より２枚目の用紙を前記印刷部に給送してその表面に第１製版画像または第２製版画像の何れか一方を印刷すると共に前記再給紙手段により１枚目の用紙を前記印刷部に再給紙してその裏面に第１製版画像または第２製版画像の何れか他方を印刷し、前記切換部材により１枚目の用紙を前記排紙部に、２枚目の用紙を前記補助トレイにそれぞれ案内し、片面印刷時に、前記給紙部より用紙を前記印刷部に給送してその表面に第３製版画像を印刷し、印刷された用紙を前記切換部材により前記排紙部に案内する両面印刷装置であって、両面印刷時において、前記製版部は前記用紙のサイズにかかわらず前記マスタの先端から第１の距離だけ離れた第１の位置から第１製版画像を作成し、その後第１の位置から第２の距離だけ離れた第２の位置から第２製版画像を作成することを特徴とする。
【００１４】
請求項２記載の発明は、原稿上の画像に基づき、両面印刷時においてマスタの長さ方向に第１製版画像と第２製版画像とを有する分割製版済みマスタを製版し、片面印刷時において第１製版画像と第２製版画像との２面分の画像領域をもった第３製版画像を有する製版済みマスタを製版する製版部と、前記分割製版済みマスタまたは前記製版済みマスタを外周面上に巻装する版胴及び前記版胴に対して接離自在に設けられたプレスローラを有する印刷部と、用紙を積載する給紙トレイを有し、前記用紙を前記印刷部に向けて給送する給紙部と、前記印刷部において印刷がなされた印刷済み用紙を機外に排出する排紙部と、前記印刷部においてその表面に印刷画像を形成された表面印刷済み用紙を一時的に貯容する補助トレイと、前記補助トレイ上に貯容された表面印刷済み用紙を前記印刷部に向けて再給紙する再給紙手段と、前記印刷部を通過した用紙を前記補助トレイまたは前記排紙部の何れかに案内する切換部材とを有し、両面印刷時に、前記給紙部より１枚目の用紙を前記印刷部に給送してその表面に第１製版画像または第２製版画像の何れか一方を印刷し、印刷された１枚目の用紙を前記切換部材により前記補助トレイに案内した後、前記給紙部より２枚目の用紙を前記印刷部に給送してその表面に第１製版画像または第２製版画像の何れか一方を印刷すると共に前記再給紙手段により１枚目の用紙を前記印刷部に再給紙してその裏面に第１製版画像または第２製版画像の何れか他方を印刷し、前記切換部材により１枚目の用紙を前記排紙部に、２枚目の用紙を前記補助トレイにそれぞれ案内し、片面印刷時に、前記給紙部より用紙を前記印刷部に給送してその表面に第３製版画像を印刷し、印刷された用紙を前記切換部材により前記排紙部に案内する両面印刷装置であって、両面印刷時において、前記製版部は前記用紙のサイズにかかわらず前記マスタの先端から第３の距離だけ離れた第３の位置のマスタ搬送方向上流側に第１製版画像をマスタ搬送方向下流側に第２製版画像をそれぞれ作成することを特徴とする。
【００１５】
請求項３記載の発明は、請求項１または２記載の両面印刷装置において、さらに両面印刷時において前記製版部は第１製版画像及び第２製版画像をそれぞれ個別に回転して製版可能であることを特徴とする。
【００１６】
請求項４記載の発明は、請求項３記載の両面印刷装置において、さらに前記原稿のサイズ及び向きを検知する原稿サイズ検知手段と前記用紙のサイズ及び向きを検知する用紙サイズ検知手段とを有し、前記用紙の向きに合わせて前記各製版画像を回転して製版することを特徴とする。
【００１７】
請求項５記載の発明は、請求項１ないし４の何れか１つに記載の両面印刷装置において、さらに両面印刷時に前記製版部は左右開きの印刷物が得られる第１の製版動作と上下開きの印刷物が得られる第２の製版動作とを行うことができ、前記製版部に第１の製版動作を行わせるか第２の製版動作を行わせるかを切り換える製版動作切換手段を有することを特徴とする。
【００１８】
請求項６記載の発明は、請求項１ないし５の何れか１つに記載の両面印刷装置において、さらに両面印刷時に第１製版画像の画像領域及び第２製版画像の画像領域以外の無製版領域における前記マスタの搬送速度を前記各画像領域における前記マスタの搬送速度に比して高速とすることを特徴とする。
【００１９】
請求項７記載の発明は、請求項１ないし６の何れか１つに記載の両面印刷装置において、さらに前記製版部は前記マスタを切断する切断手段を有し、第２製版画像または第３製版画像の形成後、前記切断手段は前記マスタの前記各画像領域よりもマスタ搬送方向下流側の未製版部分を通常の長さよりも短い長さで切断することを特徴とする。
【００２０】
請求項８記載の発明は、請求項１ないし７の何れか１つに記載の両面印刷装置において、さらに両面印刷時に前記給紙トレイ上に積載された前記用紙のサイズが前記製版部で製版された通常の長さの前記分割製版済みマスタ及び製版済みマスタのサイズの２分の１を超えた場合に警告を発する警告手段を有することを特徴とする。
【００２１】
請求項９記載の発明は、請求項１ないし８の何れか１つに記載の両面印刷装置において、さらに前記製版部は第１製版画像及び第２製版画像及び第３製版画像のそれぞれについて印刷物の綴じ代に対応した余白部を形成可能であることを特徴とする。
【００２２】
請求項１０記載の発明は、請求項９記載の両面印刷装置において、さらに前記余白部の大きさを設定する余白部設定手段を有することを特徴とする。
【発明の効果】
【００２３】
本発明によれば、製版動作時において画像領域の異なる各分割製版済みマスタの各第１製版画像及び各第２製版画像の製版開始位置を共に第１の位置Ａ及び第２の位置Ｂと同じとすることにより、版付け動作時及び試し刷り動作時及び印刷動作時における給紙部からの用紙の給紙タイミング及び再給紙手段からの再給紙タイミングを、原稿サイズあるいは用紙サイズにかかわらず表面画像時毎及び裏面画像時毎に全て同じタイミングとすることができ、装置の構成及び制御を簡略化することにより操作性を向上することができる。
【００２４】
また、本発明によれば、画像領域の異なる各分割製版済みマスタの各第１製版画像及び各第２製版画像を共に同じ第３の位置のマスタ搬送方向上流側及び下流側に振り分けて製版することにより、マスタの中央に製版画像を配置することができプレスローラのバウンドによる印刷不良あるいはマスタの後端からのインキ漏れによる印刷不良の発生をより一層防止することができる。また、Ａ４サイズよりも小サイズの印刷物を得る場合には、マスタ先端から製版開始位置までの距離を大きく取ることができるので、画像先端付近位置にべた画像が存在する場合であっても巻き上がりの発生を防止することができる。
【発明を実施するための最良の形態】
【００２５】
図１は、本発明の一実施例を採用した両面印刷装置を示している。同図において両面印刷装置１は、印刷部２、製版部３、給紙部４、排版部５、排紙部６、画像読取部７、補助トレイ８、再給紙手段９、切換部材１０等を有している。
【００２６】
印刷装置本体１１のほぼ中央に配設された印刷部２は、版胴１２とプレスローラ１３とを有している。  
版胴１２は、インキ供給パイプを兼ねた支軸１４に回転自在に支持された図示しない一対のフランジと、各フランジの外周面に巻装された図示しない多孔性支持板と、図示しない多孔性支持板の外周面に巻装された図示しないメッシュスクリーンとから主に構成されており、版胴駆動手段１２１（図８参照）によって回転駆動されると共に印刷装置本体１１に対して着脱可能に構成されている。本実施例において版胴１２は、その直径が１８０ｍｍであって片面印刷時において最大でＡ３サイズの印刷物を得ることが可能に構成されている。
【００２７】
版胴１２の内部にはインキ供給手段１５が配設されている。インキ供給手段１５は、支軸１４、インキローラ１６、ドクターローラ１７等を有している。  
インキローラ１６は版胴１２内に設けられた図示しない側板間に回転自在に支持されており、その周面を版胴１２の内周面に近接して配置され、図示しない駆動手段によって版胴１２と同方向に回転駆動される。ドクターローラ１７も前記側板間に回転自在に支持されており、その周面をインキローラ１６の周面に近接して配置され、図示しない駆動手段によって版胴１２とは逆方向に回転駆動される。支軸１４には複数の小さな孔が穿設されており、支軸１４から供給されたインキがインキローラ１６とドクターローラ１７との近接部に形成される断面楔形状の空間に溜まることによりインキ溜まり１８が形成される。
【００２８】
版胴１２の外周面上には、版胴１２の一母線に沿った平面をなす図示しないステージ部が形成されており、この上には版胴１２の外周面上にマスタの先端を保持させるクランパ１９が配設されている。クランパ１９は、版胴１２が所定の位置まで回転されたときに図示しない開閉手段によって開閉される。
【００２９】
版胴１２の下方にはプレスローラ１３が配設されている。プレスローラ１３は金属製の芯部１３ａにゴム等の弾性体を巻成して構成されており、版胴１２の軸方向に延在して設けられている。プレスローラ１３は、図２に示すように芯部１３ａの両端部を一対のアーム部材２０によって回転自在に支持されている。ほぼＬ字形状を呈する各アーム部材２０は、その曲折部近傍の部位に取り付けられた揺動軸２１によってそれぞれ一体化されており、揺動軸２１は印刷装置本体１１によって回動自在に支持されている。本実施例においてプレスローラ１３は、少なくともその周面がポリテトラフルオロエチレン樹脂等の撥インキ性を有する部材によって構成されている。
【００３０】
各アーム部材２０間には、プレスローラ１３の他、再給紙案内部材２２、再給紙レジストローラ２３、再給紙位置決め部材２４、再給紙搬送部材２５、クリーニングローラ２６、ガイド板２７等が設けられている。
【００３１】
プレスローラ１３の右方近傍に配設された再給紙案内部材２２は、各支軸２８ａ，２９ａ，３０ａ上にそれぞれ一体的に設けられそれぞれの周面をプレスローラ１３の周面に圧接させた複数のころ状のローラ２８，２９，３０と、用紙Ｐをプレスローラ１３の周面に沿わせるための曲面状に形成された用紙ガイド板３１とを有している。各支軸２８ａ，２９ａ，３０ａはそれぞれの両端部を各アーム部材２０に回転自在に支持されており、図示しない付勢手段によってそれぞれ芯部１３ａに向けて付勢されている。各ローラ２８，２９，３０は、対応する支軸２８ａ，２９ａ，３０ａに、プレスローラ１３のほぼ全幅にわたってそれぞれ所定の間隔をもって一体的に取り付けられている。用紙ガイド板３１はプレスローラ１３の周面から各ローラ２８，２９，３０の半径よりも小さな距離である所定距離だけ離れた位置に配設されており、その両端部を各アーム部材２０に固着されている。用紙ガイド板３１は芯部１３ａを中心とした円弧を形成する曲面となるように形成されており、用紙ガイド板３１には各ローラ２８，２９，３０の周面をプレスローラ１３の周面に当接させるための複数の開口部が形成されている。
【００３２】
プレスローラ１３の下方には再給紙レジストローラ２３が配設されている。ころ状の再給紙レジストローラ２３は支軸２３ａに回転自在に支持されており、支軸２３ａは揺動アーム３２の一端に取り付けられている。ほぼへ字形状を呈する揺動アーム３２は各アーム部材２０間に固設された支軸３２ａにその曲折部を揺動自在に支持されており、その配設位置は再給紙レジストローラ２３がプレスローラ１３の幅方向のほぼ中央部に位置し、かつ自身が各ローラ３０の配設位置の中間に位置するように定められている。揺動アーム３２の他端には、図示しないブラケットを介して一方のアーム部材２０に取り付けられたソレノイド３３のプランジャ３３ａと、一端を一方のアーム部材２０に固着され揺動アーム３２に対して支軸３２ａを中心に図２において反時計回り方向への回動付勢力を付与する引張ばね３４の他端とが取り付けられている。この構成より再給紙レジストローラ２３は、ソレノイド３３が作動されるとその周面を所定の圧接力でプレスローラ１３の周面に圧接する図２に実線で示す圧接位置を占め、ソレノイド３３の作動が解除されると引張ばね３４の付勢力によってその周面がプレスローラ１３の周面から離間する図２に二点鎖線で示す離間位置を占める。ソレノイド３３と引張ばね３４とによって再給紙レジスト接離機構４０が構成されている。
【００３３】
再給紙レジストローラ２３の上方近傍には再給紙位置決め部材２４が配設されている。再給紙位置決め部材２４は断面Ｌ字形状を呈する板材からなり、その幅はプレスローラ１３の幅とほぼ同じ幅となるように形成されていて、その曲折端部２４ａが上方を向く態様で両端部を各アーム部材２０に固着されている。再給紙位置決め部材２４には、再給紙レジストローラ２３が揺動時に衝突しないための図示しない切欠部が形成されている。
【００３４】
プレスローラ１３の下方であって再給紙位置決め部材２４の左方には再給紙搬送部材２５が配設されている。再給紙搬送部材２５は、搬送部材本体３５、駆動ローラ３６、従動ローラ３７、無端ベルト３８、吸引ファン３９等を有しており、その上面に補助トレイ８を一体的に有している。
【００３５】
上面が開放され、その幅が各アーム部材２０間の間隔よりも若干小さくなるように形成された筐体である搬送部材本体３５は用紙搬送方向上流側及び下流側の両側面に図示しない軸受を有しており、図示しない各軸受は駆動軸３６ａ及び従動軸３７ａをそれぞれ回転自在に支持している。駆動軸３６ａはその両端部が搬送部材本体３５の両側面を貫通しており、貫通した両端部は印刷装置本体１１に設けられた図示しない軸受部材によって回転自在に支持されている。また、駆動軸３６ａの一端には図示しない駆動ギヤが取り付けられており、駆動軸３６ａは印刷装置本体１１に設けられた搬送部材駆動モータ１２２（図８参照）によって回転駆動される。従動軸３７ａはその両端部が搬送部材本体３５の両側面を貫通しないように構成されている。搬送部材本体３５の用紙搬送方向上流側端部の両側面外側にはボス３５ａがそれぞれ一体的に設けられており、各ボス３５ａは各アーム部材２０に形成された図示しない長穴にそれぞれ嵌合されている。この構成より搬送部材本体３５は、後述するプレスローラ接離機構５５によりプレスローラ１３が版胴１２に対して接離される際に、各アーム部材２０の揺動に伴って駆動軸３６ａを中心とした揺動が可能となっている。
【００３６】
ころ状をなす複数の駆動ローラ３６はそれぞれ駆動軸３６ａに一体的に取り付けられており、各駆動ローラ３６間にはそれぞれ所定の間隔が設けられている。駆動ローラ３６と同形状である複数の従動ローラ３７は、各駆動ローラ３６と同間隔でそれぞれ従動軸３７ａに一体的に取り付けられている。各駆動ローラ３６とこれに対応した各従動ローラ３７との間には、図示しない複数の穴部を有する無端ベルト３８が所定の張力で掛け渡されている。摩擦抵抗部材からなる無端ベルト３８は、搬送部材駆動モータ１２２によって駆動軸３６ａが回転駆動されることにより図２に矢印で示す方向に移動される。
【００３７】
搬送部材本体３５の下面には吸引ファン３９が一体的に取り付けられており、搬送部材本体３５の上面には補助トレイ８が一体的に取り付けられている。補助トレイ８には各無端ベルト３８を用紙搬送面に臨ませるための図示しない複数の開口部が形成されており、その用紙搬送方向下流側端部には搬送される用紙Ｐを受け止めるためのフェンス８ａが一体的に形成されている。吸引ファン３９の取付面である搬送部材本体３５の下面には図示しない穴部が設けられており、これにより吸引ファン３９が作動することで筐体である搬送部材本体３５の内部に負圧を発生させ、移動する各無端ベルト３８の上面に用紙Ｐを吸引させる。吸引ファン３９の吸引力及び無端ベルト３８の摩擦抵抗力は、用紙Ｐの先端が再給紙位置決め部材２４の曲折端部２４ａに当接した際に、用紙Ｐと各無端ベルト３８との間で滑りが発生する程度の強さにそれぞれ設定されている。  
上述した再給紙案内部材２２、再給紙レジストローラ２３、再給紙位置決め部材２４、及び再給紙搬送部材２５によって再給紙手段９が構成されている。
【００３８】
プレスローラ１３の近傍であって再給紙搬送部材２５の上方に位置する部位には、プレスローラ１３の周面をクリーニングするクリーニングローラ２６が配設されている。プレスローラ１３の幅とほぼ同じ幅を有するクリーニングローラ２６は、少なくともその表面が和紙やスポンジ等の吸湿性の高い材質によって構成されており、その中心に芯部２６ａを一体的に有している。クリーニングローラ２６は芯部２６ａを各アーム部材２０に形成された図示しない長穴に嵌合されることで回転自在に支持されており、この長穴内に設けられた図示しない付勢手段によってプレスローラ１３に向けて付勢され、その周面をプレスローラ１３の周面に所定の圧接力で常時圧接されている。クリーニングローラ２６は、一方のアーム部材２０に設けられた図示しないクリーニングローラ駆動手段によって、プレスローラ１３の回転時においてプレスローラ１３と同方向に、プレスローラ１３の周速度の１０分の１程度の周速度で回転駆動される。
【００３９】
クリーニングローラ２６の左上方にはガイド板２７が配設されている。板材であるガイド板２７はその両端部を各アーム部材２０に固設されており、プレスローラ１３によって版胴１２に圧接された用紙Ｐがクリーニングローラ２６に触れないように、かつ補助トレイ８に向かうように案内する。ガイド板２７はプレスローラ１３及びクリーニングローラ２６の周面に近接する位置に配設されている。
【００４０】
各アーム部材２０のプレスローラ１３が支持された一端側と対向する他端側には、それぞれ回転自在なカムフォロア４１が互いに外側を向く態様で配設されている。また、各アーム部材２０のカムフォロア４１が配設された位置の近傍には、一端を印刷装置本体１１に固着された印圧ばね４２の他端がそれぞれ取り付けられている。これにより各アーム部材２０は、揺動軸２１を中心に図において時計回り方向への回動付勢力をそれぞれ付与されている。
【００４１】
各カムフォロア４１の左方近傍には、３枚のカム板４３Ａ，４３Ｂ，４３Ｃを有する多段カム４３がそれぞれ配設されている。各カム板４３Ａ，４３Ｂ，４３Ｃは、両端を印刷装置本体１１に回転自在かつ図２の紙面方向に移動自在に支持されたカム軸４４にそれぞれ所定の間隙をもって固着されており、装置手前側からカム板４３Ｂ、カム板４３Ａ、カム板４３Ｃの順に配設されている。各カム板４３Ａ，４３Ｂ，４３Ｃは、カム軸４４と同心の円板である基部とそれぞれ同一突出量の凸部とを有している。多段カム４３は、図４に示すように、カム軸４４に取り付けられた駆動ギヤ４５及び印刷装置本体１１に回転自在に支持された支軸４６に取り付けられた伝達ギヤ４７を介して版胴駆動手段１２１からの回転力を伝達され、図２において時計回り方向に回転駆動される。
【００４２】
プレスローラ１３は、各カム板４３Ａ，４３Ｂ，４３Ｃの何れかの凸部がカムフォロア４１と当接したときにその周面が版胴１２の周面より離間する図２に示す離間位置を占め、何れかの凸部とカムフォロア４１との当接が解除されたときに印圧ばね４２の付勢力によってその周面が版胴１２の周面に圧接する図３に示す圧接位置を占める。各カム板４３Ａ，４３Ｂ，４３Ｃは、プレスローラ１３が圧接位置を占めたときにその基部とカムフォロア４１とが接触しないように構成されている。各カム板４３Ａ，４３Ｂ，４３Ｃの凸部の形状は、プレスローラ１３と版胴１２との接触範囲が、カム板４３Ａでは図１に示す表面領域と中間領域と裏面領域とを全て合わせた範囲となるように、カム板４３Ｂでは表面領域と同じ範囲となるように、カム板４３Ｃでは表面領域の下流側部分と中間領域と裏面領域とを合わせた範囲となるようにそれぞれ形成されている。また、各カム板４３Ａ，４３Ｂ，４３Ｃ間の間隔は、アーム部材２０の板厚よりも十分に大きくなるように設定されている。
【００４３】
図２において各アーム部材２０の右方近傍には、プレスローラ１３が離間位置を占めた状態で各アーム部材２０の揺動を禁止する、図示しないプレスローラ係止手段が配設されている。図示しないプレスローラ係止手段は図示しないソレノイドを有しており、この図示しないソレノイドのオン・オフの切り換えによって各アーム部材２０を保持する状態と保持を解除する状態とが選択的に切り換えられる。図示しないソレノイドは、カムフォロア４１が各カム板４３Ａ，４３Ｂ，４３Ｃの何れかの凸部と当接した状態で作動される。
【００４４】
カム軸４４の下方近傍には、図４に示すように移動アーム４８と段差カム４９とが配設されている。ほぼＬ字形状を呈する移動アーム４８は、印刷装置本体１１に回転自在に支持された支軸４８ａにその曲折部を取り付けられており、移動アーム４８の一端にはローラ４８ｂが、また他端にはカムフォロア４８ｃがそれぞれ回転自在に取り付けられている。さらに移動アーム４８の他端と曲折部との間の部位には、一端を印刷装置本体１１に取り付けられた引張ばね５０の他端が取り付けられており、移動アーム４８には支軸４８ａを中心に、図において時計回り方向への回動付勢力が付与されている。
【００４５】
ローラ４８ｂはカム軸４４の中程に間隔をおいて固着された円板４４ａ，４４ｂ間に配置されており、カムフォロア４８ｃは引張ばね５０の付勢力によりその周面を段差カム４９の周面に当接させている。各円板４４ａ，４４ｂ間の間隔は、ローラ４８ｂの直径よりも僅かに大きくなるように設定されている。
【００４６】
段差カム４９はその周面に３箇所のカム部４９ａ，４９ｂ，４９ｃを有しており、印刷装置本体１１に回転自在に支持された支軸５１に固着されている。支軸５１には、印刷装置本体１１に取り付けられたステッピングモータ５２の出力軸に取り付けられたギヤ５３と噛合するギヤ５４が取り付けられており、ステッピングモータ５２の作動により段差カム４９は図４の矢印方向に回転駆動される。この構成より、ステッピングモータ５２が作動して段差カム４９が回転すると移動アーム４８が支軸４８ａを中心に揺動し、ローラ４８ｂが円板４４ａあるいは円板４４ｂを押すことでカム軸４４が図４の左右方向に移動する。
【００４７】
各カム部４９ａ，４９ｂ，４９ｃは、カムフォロア４８ｃとカム部４９ａとが当接したときにカム板４３Ｂがカムフォロア４１と当接可能位置となるように、カムフォロア４８ｃとカム部４９ｂとが当接したときにカム板４３Ａがカムフォロア４１と当接可能位置となるように、カムフォロア４８ｃとカム部４９ｃとが当接したときにカム板４３Ｃがカムフォロア４１と当接可能位置となるようにカム軸４４を移動させる形状にそれぞれ形成されている。
【００４８】
上述したカムフォロア４１、印圧ばね４２、多段カム４３、図示しないプレスローラ係止手段、移動アーム４８、段差カム４９によってプレスローラ接離機構５５が構成されており、このプレスローラ接離機構５５の作動によってプレスローラ１３は図２に示す離間位置と図３に示す圧接位置とを選択的に占める。
【００４９】
版胴１２とプレスローラ１３との接触位置の左方であって用紙Ｐの搬送経路上には、用紙Ｐの搬送経路を切り換える切換部材１０が配設されている。版胴１２及びプレスローラ１３とほぼ同じ幅を有する板材からなる切換部材１０は、その用紙搬送方向下流側端部を印刷装置本体１１に回動自在に支持された支軸に固着されており、ソレノイド１２３（図８参照）が作動することによって断面鋭角状に形成された用紙搬送方向上流側端部を図１に実線で示す第１の位置と二点鎖線で示す第２の位置とに選択的に位置決めされる。切換部材１０は、第１の位置を占めたときにその先端がプレスローラ１３の周面に近接すると共に版胴１２上のクランパ１９と干渉しない位置に置かれ、第２の位置を占めたときにその先端が版胴１２の周面に近接する位置に置かれる。版胴１２とプレスローラ１３との間を通過した用紙Ｐは、切換部材１０が第１の位置を占めたときに排紙部６へと案内され、切換部材１０が第２の位置を占めたときにガイド板２７と印刷装置本体１１に固着されたガイド板５６との間を通って補助トレイ８へと案内される。
【００５０】
印刷装置本体１１の右上方には製版部３が配設されている。製版部３は、マスタ保持部材５７、プラテンローラ５８、サーマルヘッド５９、切断手段６０、マスタストック部６１、テンションローラ対６２、反転ローラ対６３等を有している。製版部３は後述するマスタ６４に製版を行い、図５に示すような第１製版画像６５Ａと第２製版画像６５Ｂとを有する分割製版済みマスタ６５、あるいは図６に示すような第１製版画像６５Ａと第２製版画像６５Ｂとの２面分の画像量域を有する第３製版画像６６Ａを有する製版済みマスタ６６を作成する。第１製版画像６５Ａは、分割製版済みマスタ６５が版胴１２の外周面上に巻装されたときに図１に示す表面領域と対応する位置に形成され、第２製版画像６５Ｂは裏面領域と対応する位置に形成される。なお、分割製版済みマスタ６５の作成方法の詳細については後述する。
【００５１】
マスタ保持部材５７は印刷装置本体１１の図示しない側板対にそれぞれ設けられており、熱可塑性樹脂フィルムと多孔性支持体とを貼り合わせたマスタ６４をロール状に巻成してなるマスタロール６４ａの芯部６４ｂの両端を回転自在かつ着脱自在に支持する。
【００５２】
マスタ保持部材５７の左方に設けられたプラテンローラ５８は印刷装置本体１１の図示しない側板に回転自在に支持されており、ステッピングモータを含む製版駆動手段１２４（図８参照）によって回転駆動される。プラテンローラ５８の下方に位置し多数の発熱素子を有するサーマルヘッド５９は印刷装置本体１１の図示しない側板に取り付けられており、図示しない付勢手段の付勢力によってその発熱素子面をプラテンローラ５８に圧接されている。サーマルヘッド５９はマスタ６４の熱可塑性樹脂フィルム面に接触しつつ発熱素子を選択的に発熱させ、マスタ６４に対して熱溶融穿孔製版を行う。
【００５３】
プラテンローラ５８及びサーマルヘッド５９の左方には切断手段６０が配設されている。印刷装置本体１１の図示しないフレームに固設された固定刃６０ａと、この固定刃６０ａに移動自在に支持された可動刃６０ｂとを有する切断手段６０は、固定刃６０ａに対して可動刃６０ｂが回転移動することによりマスタ６４を切断する周知の構成である。切断手段６０によるマスタ６４の切断位置とサーマルヘッド５９によるマスタ６４への製版位置との間の距離は、後述する第１の距離Ｌ１よりも短くなるように設定されている。
【００５４】
切断手段６０のマスタ搬送方向下流側下方にはマスタストック部６１が配設されている。分割製版済みマスタ６５あるいは製版済みマスタ６６を一時的に貯容する空間であるマスタストック部６１は複数の板部材によってその内部を仕切られており、その最奥部には図示しない吸引ファンが配設されている。この吸引ファンが作動することにより密閉された空間であるマスタストック部６１の内部に負圧が発生し、製版して搬送されてきた分割製版済みマスタ６５あるいは製版済みマスタ６６はマスタストック部６１の最奥部に向けて貯容される。
【００５５】
切断手段６０とマスタストック部６１との間の部位にはテンションローラ対６２が配設されている。それぞれ印刷装置本体１１の図示しない側板に回転自在に支持された駆動ローラ６２ａと従動ローラ６２ｂとからなるテンションローラ対６２は、従動ローラ６２ｂが図示しない付勢手段によってその周面を駆動ローラ６２ａの周面に圧接されており、製版駆動手段１２４によって駆動ローラ６２ａが回転駆動されることによりマスタ６４を挟持して搬送する。駆動ローラ６２ａは、その周速度がプラテンローラ５８の周速度よりも若干速く設定されていると共にその内部には図示しないトルクリミッタが設けられており、プラテンローラ５８とテンションローラ対６２との間においてマスタ６４に対して所定の張力が付与されるように構成されている。
【００５６】
マスタストック部６１のマスタ搬送方向下流側には、それぞれ印刷装置本体１１の図示しない側板に回転自在に支持された駆動ローラ６３ａと従動ローラ６３ｂとからなる反転ローラ対６３が配設されている。反転ローラ対６３は、製版駆動手段１２４によって回転駆動される駆動ローラ６３ａと図示しない付勢手段によってこれに圧接配置された従動ローラ６３ｂとによってマスタ６４を挟持して搬送する。駆動ローラ６３ａの内部には図示しないワンウェイクラッチが設けられている。
【００５７】
また、テンションローラ対６２と反転ローラ対６３との間の部位には、図示しない可動マスタガイド板が配設されている。この可動マスタガイド板は図示しない支持部材に揺動自在に支持されており、図示しないソレノイドによってその上面がマスタ６４の搬送路を構成する搬送位置と、マスタ６４のマスタストック部６１への進入を妨げない退避位置とに選択的に位置決めされる。
【００５８】
製版部３の下方には給紙部４が配設されている。給紙部４は、給紙トレイ６７、給紙ローラ６８、分離ローラ６９、分離パッド７０、レジストローラ対７１等を有している。  
上面に多数の用紙Ｐを積載可能な給紙トレイ６７は印刷装置本体１１に上下動自在に支持されており、昇降手段を含む給紙駆動手段１２５（図８参照）によって上下動される。Ａ３サイズの用紙Ｐを縦置き可能な給紙トレイ６７の上面には、図示しないレール部材によって用紙搬送方向と直行する用紙幅方向に移動自在に支持された一対のサイドフェンス７２が設けられている。また、給紙トレイ６７の自由端部側には、積載された用紙Ｐのサイズを検知する複数の用紙サイズ検知センサ７３が設けられている。用紙サイズ検知手段として機能する用紙サイズセンサ７３は、各センサの組み合わせによって用紙Ｐのサイズ及び向き（縦置きあるいは横置き）を検知する周知の構成である。
【００５９】
給紙トレイ６７の上方には、表面に高摩擦抵抗部材を有する給紙ローラ６８が配設されている。給紙ローラ６８は印刷装置本体１１に揺動自在に支持された図示しないブラケットに回転自在に支持されており、給紙トレイ６７が図示しない昇降手段によって上昇されたときに所定の圧接力で給紙トレイ６７上の最上位の用紙Ｐに圧接する。給紙ローラ６８は給紙駆動手段１２５によって回転駆動される。
【００６０】
給紙ローラ６８の左方には、表面にそれぞれ高摩擦抵抗部材を有する分離ローラ６９と分離パッド７０とが配設されている。分離ローラ６９はタイミングベルト６９ａを介して給紙ローラ６８に駆動連結されており、給紙ローラ６８の回転駆動時にこれと同期して同方向に回転駆動される。分離パッド７０は図示しない付勢手段の付勢力によって分離ローラ６９に圧接されている。
【００６１】
分離ローラ６９及び分離パッド７０の左方にはレジストローラ対７１が配設されている。駆動ローラ７１ａと従動ローラ７１ｂとからなるレジストローラ対７１は、給紙駆動手段１２５に含まれる図示しないレジストローラ駆動モータによって駆動ローラ７１ａが版胴１２と同期した所定のタイミングで回転し、駆動ローラ７１ａに圧接された従動ローラ７１ｂとによって用紙Ｐを印刷部２に向けて所定のタイミングで給送する。
【００６２】
印刷部２の左上方には排版部５が配設されている。排版部５は、上排版部材７４、下排版部材７５、排版ボックス７６、圧縮板７７等を有している。  
上排版部材７４は、駆動ローラ７８、従動ローラ７９、無端ベルト８０等を有し、排版駆動手段１２６（図８参照）によって駆動ローラ７８が図の時計回り方向に回転駆動されることにより無端ベルト８０が図１の矢印方向に移動する。下排版部材７５は、駆動ローラ８１、従動ローラ８２、無端ベルト８３等を有し、駆動ローラ７８を回転駆動する排版駆動手段１２６の駆動力をギヤやベルト等の図示しない駆動力伝達手段によって伝達されることで駆動ローラ８１が図の反時計回り方向に回転駆動されることにより、無端ベルト８３が図１の矢印方向に移動する。また、下排版部材７５は排版駆動手段１２６に含まれる図示しない移動手段によって移動自在に設けられており、図に示す位置と従動ローラ８２の外周面上に位置する無端ベルト８３が版胴１２の外周面に当接する位置とを選択的に占める。
【００６３】
内部に使用済みマスタを貯容する排版ボックス７６は、印刷装置本体１１に対して着脱自在に設けられている。上排版部材７４と下排版部材７５とによって運ばれた使用済みマスタを排版ボックス７６の内部に押し込む圧縮板７７は印刷装置本体１１に上下動自在に支持されており、排版駆動手段１２６に含まれる図示しない昇降手段によって上下動される。
【００６４】
排版部５の下方には排紙部６が配設されている。排紙部６は、剥離爪８４、排紙搬送部材８５、排紙トレイ８６等を有している。  
剥離爪８４は版胴１２の幅方向に複数配置され、印刷装置本体１１に揺動自在に支持された支軸にそれぞれ一体的に取り付けられている。複数の剥離爪８４は図示しない爪揺動手段によって揺動され、その先端が版胴１２の周面に近接する図に示す位置と、クランパ１９等の障害物を回避するためにその先端が版胴１２の外周面から離間する位置とを選択的に占める。図示しない爪揺動手段は、版胴駆動手段１２１からの駆動力を図示しない駆動力伝達手段により伝達され、版胴１２の回転と同期して剥離爪８４を揺動させる。
【００６５】
剥離爪８４の下方であって切換部材１０の左方に配設された排紙搬送部材８５は、駆動ローラ８７、従動ローラ８８、無端ベルト８９、吸引ファン９０等を有している。ころ状の駆動ローラ８７は図示しないユニット側板に回転自在に支持された図示しない支軸に所定の間隔で複数取り付けられており、排紙駆動手段１２７（図８参照）によってそれぞれ一体的に回転駆動される。従動ローラ８８も同側板に回転自在に支持された図示しない支軸に各駆動ローラ８７と等間隔で複数設けられており、各駆動ローラ８７及びこれと対応する各従動ローラ８８には複数の孔を有する無端ベルト８９がそれぞれ掛け渡されている。駆動ローラ８７、従動ローラ８８、無端ベルト８９の下方には吸引ファン９０が配設されている。排紙搬送部材８５は、吸引ファン９０の吸引力によって各無端ベルト８９上に用紙Ｐを吸引し、各駆動ローラ８７の回転によって用紙Ｐを図１の矢印方向に搬送する。  
排紙搬送部材８５によって搬送された用紙Ｐをその上面に積載する排紙トレイ８６は、用紙搬送方向に移動自在な１個のエンドフェンス９１と、用紙幅方向に移動自在な一対のサイドフェンス９２とを有している。
【００６６】
印刷装置本体９の上部には画像読取部７が配設されている。画像読取部７は、原稿を載置するコンタクトガラス９３、コンタクトガラス９３に対して接離自在に設けられた圧板９４、原稿画像を走査して読み取る反射ミラー９５，９６，９７，９８及び蛍光灯９９、走査された原稿画像を集束するレンズ１００、集束された画像を処理するＣＣＤ等の画像センサ１０１、原稿のサイズを検知する複数の原稿サイズ検知センサ１０２、読み取られた画像データを記憶する画像メモリ１３５等を有しており、原稿画像の読取動作は読取駆動手段１２８（図８参照）の作動によって行われる。原稿サイズ検知手段として機能する原稿サイズ検知センサ１０２は、各センサの組み合わせによって原稿のサイズ及び向き（縦置きあるいは横置き）を検知する周知の構成である。
【００６７】
また、図１に示すように、版胴１２を構成する図示しないフランジの外面にはドグ１３３が取り付けられており、版胴１２の周囲近傍には印刷装置本体１１に取り付けられたホームポジションセンサ１３４が配設されている。ホームポジションセンサ１３４は、クランパ１９がプレスローラ１３と対向する位置を版胴１２が占めたときにドグ１３３を検知して後述する制御手段１２９に向けて信号を出力する。
【００６８】
図７は両面印刷装置１の操作パネルを示している。同図において印刷装置本体１１の上部前面に設けられた操作パネル１０３は、その上面に製版スタートキー１０４、印刷スタートキー１０５、試し刷りキー１０６、連続キー１０７、クリア／ストップキー１０８、テンキー１０９、エンターキー１１０、プログラムキー１１１、モードクリアキー１１２、印刷速度設定キー１１３、４方向キー１１４、用紙サイズ設定キー１１５、用紙厚み設定キー１１６、両面印刷キー１１７、片面印刷キー１１８、７セグメントＬＥＤからなる表示装置１１９、ＬＣＤからなる表示装置１２０、余白部設定手段としての余白設定キー１３６、製版動作切換手段としての製版モード切換キー１３７等を有している。
【００６９】
製版スタートキー１０４は両面印刷装置１に製版動作を行わせる際に押下され、製版スタートキー１０４が押下されると排版動作及び原稿読取動作が行われた後に製版動作が行われ、その後、版付け動作が行われて両面印刷装置１は印刷待機状態となる。印刷スタートキー１０５は両面印刷装置１に印刷動作を行わせる際に押下され、両面印刷装置１が印刷待機状態となり各種印刷条件が設定された後に印刷スタートキー１０５が押下されることにより印刷動作が行われる。試し刷りキー１０６は両面印刷装置１に試し刷りを行わせる際に押下され、各種条件が設定された後に試し刷りキー１０６が押下されることにより１枚だけ印刷が行われる。連続キー１０７は製版動作と印刷動作とを連続して行う際に製版スタートキー１０４の押下前に押下され、連続キー１０７の押下後、印刷条件が入力された後に製版スタートキー１０４が押下されると、排版動作、原稿読取動作、製版動作に引き続いて印刷動作が行われる。
【００７０】
クリア／ストップキー１０８は両面印刷装置１の動作を停止させる際あるいは置数のクリア時に押下され、テンキー１０９は数値入力に用いられる。エンターキー１１０は各種設定時に数値等を設定する際に、プログラムキー１１１はよく行う操作を登録したりそれを呼び出したりする際にそれぞれ押下され、モードクリアキー１１２は各種のモードをクリアして初期状態に戻す際に押下される。印刷速度設定キー１１３は印刷動作に先立って印刷速度を設定する際に押下され、濃いめの画像を得たい場合あるいは雰囲気温度が低い場合等には印刷速度を遅く、薄めの画像を得たい場合あるいは雰囲気温度が高い場合等には印刷速度を速く設定する。４方向キー１１４は上キー１１４ａ、下キー１１４ｂ、左キー１１４ｃ、右キー１１４ｄを有しており、画像編集時に画像位置を調整する場合あるいは各種設定時に数値や項目等を選択する場合等に押下される。
【００７１】
用紙サイズ設定キー１１５は用紙サイズを任意で入力する際に押下され、用紙サイズ設定キー１１５で入力された用紙サイズは用紙サイズ検知センサ７３によって検知された用紙サイズに優先される。用紙厚み設定キー１１６は両面印刷に先立って用紙Ｐの厚みを入力する際に押下され、本実施例では「普通紙」、「薄紙」、「厚紙」の３種類のうちの何れかを選択する構成となっている。
【００７２】
両面印刷キー１１７は両面印刷装置１に両面印刷動作を行わせる際に製版スタートキー１０４の押下前に押下され、両面印刷キー１１７が押下されるとその近傍に配置されたＬＥＤ１１７ａが点灯してオペレータに両面印刷モードであることが表示される。また、両面印刷キー１１７が押下された際には、用紙厚み設定キー１１６によって使用する用紙Ｐの厚みを入力した後でないと製版スタートキー１０４の入力が拒否される。片面印刷キー１１８も両面印刷キー１１７と同様に両面印刷装置１に片面印刷動作を行わせる際にスタートキー１０４の押下前に押下され、片面印刷キー１１８が押下されるとその近傍に配置されたＬＥＤ１１８ａが点灯してオペレータに片面印刷モードであることが表示される。両面印刷装置１は初期状態時においてＬＥＤ１１８ａが点灯しており、片面印刷モードとなっている。
【００７３】
７セグメントＬＥＤからなる表示装置１１９は、主に印刷枚数等の数字を表示する。ＬＣＤからなる表示装置１２０は階層表示構造となっており、その下方に設けられた選択設定キー１２０ａ，１２０ｂ，１２０ｃ，１２０ｄを押下することにより、変倍や位置調整等の様々なモードへの変更及び各モードでの設定が可能に構成されている。また表示装置１２０には、図示したように「製版・プリントできます」のような両面印刷装置１の状態が表示される他、製版あるいは排版ジャム、給紙あるいは排紙ジャム等のアラーム、印刷用紙、マスタ、インキ等のサプライの供給指示等も表示される。
【００７４】
余白設定キー１３６は、分割製版済みマスタ６５あるいは製版済みマスタ６６を作成する際に、その第１製版画像６５Ａあるいは第３製版画像６６Ａの画像領域に先端余白部を設定する際に押下される。なお、第１製版画像６５Ａに先端余白が設定されると第２製版画像６５Ｂにはその先端余白に応じた後端余白が自動的に設定される。製版モード切換キー１３７は、両面印刷時において両面印刷装置１に左右開きの印刷物に応じた製版動作を行わせるか上下開きの印刷物に応じた製版動作を行わせるかを切り換える。製版モード切換キー１３７によって切り換えられた製版モードは表示装置１２０に表示される。
【００７５】
図８は、両面印刷装置１に用いられる制御手段のブロック図を示している。同図において制御手段１２９は、内部にＣＰＵ１３０、ＲＯＭ１３１、ＲＡＭ１３２を有する周知のマイクロコンピュータであり、印刷装置本体１１の内部に設けられている。
【００７６】
ＣＰＵ１３０は、操作パネル１０３からの各種信号及び印刷装置本体１１に設けられた各種センサからの検知信号及びＲＯＭ１３１から呼び出された動作プログラムに基づいて、印刷部２、製版部３、給紙部４、排版部５、排紙部６、画像読取部７に設けられた各駆動手段、再給紙手段９に設けられた再給紙レジスト接離機構４０及び搬送部材駆動モータ１２２、切換部材１０を作動させるソレノイド１２３の作動等を制御し、両面印刷装置１全体の動作を制御する。ＲＯＭ１３１には両面印刷装置１全体の動作プログラムが記憶されており、この動作プログラムはＣＰＵ１３０によって適宜呼び出される。ＲＡＭ１３２は、ＣＰＵ１３０の計算結果を一時的に記憶する機能、操作パネル１０３上の各種キー及び各種センサから設定及び入力されたデータ信号及びオン・オフ信号を随時記憶する機能等を有している。また制御手段１２９は、ホームポジションセンサ１３４からのホームポジション信号と、版胴駆動手段１２１に設けられた図示しないエンコーダからの信号とに基づいて、版胴１２の位置の把握も行っている。
【００７７】
上述の構成に基づき、以下に両面印刷装置１の動作を説明する。  
オペレータは給紙トレイ６７上に印刷に使用される用紙Ｐを積載し、圧板９４を開放してコンタクトガラス９３上に印刷すべき原稿を載置した後、再び圧板９４を閉じる。その後、操作パネル１０３上の各種キーによって製版条件を設定した後、両面印刷キー１１７あるいは片面印刷キー１１８を押下して印刷モードを設定して製版スタートキー１０４を押下する。先ず、片面印刷キー１１８を押下して片面印刷を行う場合を説明する。
【００７８】
オペレータは片面印刷モードであることをＬＥＤ１１８ａの点灯によって確認した後、製版スタートキー１０４を押下する。製版スタートキー１０４が押下されると、用紙サイズ検知センサ７３から用紙サイズ検知信号が、また原稿サイズ検知センサ１０２から原稿サイズ検知信号がそれぞれ制御手段１２９に送られ、信号を受けた制御手段１２９は各信号を比較する。このとき、用紙サイズと原稿サイズとが同じ場合は直ちに画像読取動作が行われ、用紙サイズと原稿サイズとが異なる場合には、制御手段１２９はその旨を表示装置１２０に表示してオペレータに注意を促す。用紙サイズと原稿サイズとが異なる場合に、制御手段１２９からの指令で自動的に拡大または縮小の変倍を行い、原稿サイズと画像サイズとを整合させるように構成してもよい。
【００７９】
製版スタートキー１０４が押下されると、画像読取部７では原稿画像の読取動作が行われる。原稿画像の読み取りは、蛍光灯９９によって露光された反射光を各反射ミラー９５，９６，９７，９８によって反射することにより行われ、読み取られた原稿画像はレンズ１００で集束された後に画像センサ１０１に入射されて光電変換される。光電変換された電気信号は印刷装置本体１１内の図示しないＡ／Ｄ変換器に入力された後、画像メモリ１３５内に画像データ信号として格納される。
【００８０】
画像読取部７での画像読取動作と並行して、排版部５では版胴１２の外周面から使用済みマスタを剥離する排版動作が行われる。製版スタートキー１０４が押下されると版胴１２が回転を開始し、版胴１２が図１に示すホームポジションに達するとドグ１３３がホームポジションセンサ１３４に検知され、ホームポジションセンサ１３４から制御手段１２９に向けてホームポジション信号が送られる。ホームポジション信号を受けた制御手段１２９は、このホームポジションを基点として図示しないエンコーダが発するパルス数を計測し、版胴１２の外周面上に巻装された使用済みマスタの先端が従動ローラ８２の外周面上に位置する無端ベルト８３と対応する所定の排版位置に達したと判断すると、版胴駆動手段１２１の作動を停止させる。
【００８１】
版胴駆動手段１２１が停止されて版胴１２が所定の排版位置で停止すると、版胴駆動手段１２１及び排版駆動手段１２６が作動して各駆動ローラ７８，８１が回転駆動されると共に下排版部材７５が版胴１２側に移動し、従動ローラ８２の外周面上に位置する無端ベルト８３が使用済みマスタと当接する。すると、版胴１２の回転及び無端ベルト８３の移動によって版胴１２の外周面上よりすくい上げられた使用済みマスタは、下排版部材７５と上排版部材７４とで挟持搬送されて版胴１２の外周面より剥離される。剥離された使用済みマスタは排版ボックス７６内に廃棄された後、圧縮板７７によって圧縮される。  
外周面上より使用済みマスタが全て剥離された後も版胴１２は回転を継続し、クランパ１９が右上方に位置する所定の給版待機位置まで回転して停止する。版胴１２が給版待機位置で停止すると図示しない開閉手段が作動してクランパ１９が開放され、両面印刷装置１は給版待機状態となる。
【００８２】
排版動作と並行して、製版部３では製版動作が行われる。製版スタートキー１０４が押下されると、プラテンローラ５８、テンションローラ対６２、反転ローラ対６３がそれぞれ回転駆動されてマスタロール６４ａよりマスタ６４が引き出される。このとき図示しない可動マスタガイド板は搬送位置に位置決めされている。マスタ６４が引き出されてその画像形成領域がサーマルヘッド５９の発熱素子と対応する位置に達すると、画像メモリ１３５内に格納されている画像データ信号が画像処理を施された後に呼び出され、図示しないサーマルヘッドドライバがサーマルヘッド５９の各発熱素子を選択的に発熱させることにより、マスタ６４の熱可塑性樹脂フィルム面に第３製版画像６６Ａが形成される。マスタ６４は製版されつつ搬送されその先端部が反転ローラ対６３に挟持されると、図示しない可動マスタガイド板が退避位置に移動されると共に反転ローラ対６３の回転が停止される。
【００８３】
反転ローラ対６３の回転停止後もプラテンローラ５８及びテンションローラ対６２は回転を継続しており、サーマルヘッド５９によって製版された製版済みマスタ６６はマスタストック部６１内に貯容される。反転ローラ対６３の停止時においてマスタストック部６１に設けられた図示しない吸引ファンが作動されており、製版済みマスタ６６は図示しない吸引ファンに吸引されることによって良好にマスタストック部６１内に貯容される。
【００８４】
上述の製版動作中、排版動作が完了して両面印刷装置１が給版待機状態となると、反転ローラ対６３が回転を開始してマスタストック部６１内に貯容されている製版済みマスタ６６が開放されているクランパ１９に向けて搬送される。そして、製版済みマスタ６６の先端部がクランパ１９によって挟持可能な所定位置まで搬送されると、図示しない開閉手段が作動してクランパ１９が閉じられ、製版済みマスタ６６はその先端部を版胴１２の外周面上に保持される。
【００８５】
その後、版胴１２が図１において時計回り方向に間欠的に回転駆動され、製版済みマスタ６６の版胴１２への巻装動作が行われる。このとき反転ローラ対６３は回転を停止しており、駆動ローラ６３ａは内部に設けられた図示しないワンウェイクラッチによって製版済みマスタ６６の引き出しに伴い連れ回りする。そして、画像メモリ１３５からの画像データ信号が途絶えるとサーマルヘッド５９の作動が停止し、１版分の製版済みマスタ６６が製版搬送されるとプラテンローラ５８、テンションローラ対６２、反転ローラ対６３の回転がそれぞれ停止されると共に切断手段６０が作動して製版済みマスタ６６が切断される。切断された製版済みマスタ６６は版胴１２の回転によって製版部３より引き出され、版胴１２がホームポジションまで回転して停止することで製版動作及び給版動作が完了する。
【００８６】
給版動作に引き続き版付け動作が行われる。版胴１２がホームポジションで停止するとソレノイド１２３が作動して切換部材１０が第１の位置に位置決めされた後、図示しないプレスローラ係止手段が作動すると共にステッピングモータ５２が作動して段差カム４９が回転され、そのカム部４９ｂをカムフォロア４８ｃに当接させる。これにより移動アーム４８が支軸４８ａを中心に揺動されてカム軸４４がカム板４３Ａをカムフォロア４１に対して当接可能となる位置に移動され、その後、図示しないプレスローラ係止手段の作動が解除される。
【００８７】
その後、給紙ローラ６８、分離ローラ６９、駆動ローラ８７、吸引ファン９０がそれぞれ駆動されると共に版胴１２が低速で図１の時計回り方向に回転駆動され、給紙トレイ６７上に積載された用紙Ｐの最上位の１枚が引き出されてその先端をレジストローラ対７１に挟持される。そして、版胴１２上に巻装された製版済みマスタ６６の版胴回転方向における第３製版画像６６Ａの画像領域先端部がプレスローラ１３と対応する位置に到達する所定のタイミングで図示しないレジストローラ駆動モータが作動し、駆動ローラ７１ａが回転駆動されることにより給紙トレイ６７上から引き出された用紙Ｐが版胴１２とプレスローラ１３との間に向けて給送される。
【００８８】
版胴１２の回転に同期して、プレスローラ接離機構５５ではカム軸４４及びこれと一体に設けられた多段カム４３が回転駆動されており、上述したようにカムフォロア４１と当接する位置に移動されたカム板４３Ａは、上記所定のタイミングにおいてその凸部をカムフォロア４１から離脱させる。これによりプレスローラ１３がその周面を版胴１２の外周面に印圧ばね４２の付勢力によって圧接させ、レジストローラ対７１によって給送された用紙Ｐが版胴１２に巻装された製版済みマスタ６６に押圧される。この押圧動作によりプレスローラ１３と用紙Ｐと製版済みマスタ６６と版胴１２とが圧接し、インキローラ１６によって版胴１２の内周面に供給されたインキが版胴１２の開口部より滲出して、版胴１２を構成する図示しない多孔性支持板及び図示しないメッシュスクリーン、及び版胴１２に巻装された製版済みマスタ６６の多孔性支持体に充填された後に製版済みマスタ６６の穿孔部を介して用紙Ｐに転写され、いわゆる版付けが行われる。
【００８９】
版付けにより第３製版画像６６Ａに応じた画像を印刷された用紙Ｐは、第１の位置を占めた切換部材１０によって排紙搬送部材８５へと案内されると共に、剥離爪８４によってその先端部から版胴外周面上の製版済みマスタ６６より剥離される。剥離された用紙Ｐは下方へと落下して排紙搬送部材８５へと送られ、吸引ファン９０の吸引力によって無端ベルト８９の上面に引きつけられつつ左方へと搬送されて排紙トレイ８６上に排出される。その後、版胴１２が再びホームポジションまで回転して停止し、版付け動作を終えて両面印刷装置１は印刷待機状態となる。
【００９０】
両面印刷装置１が印刷待機状態となった後、印刷速度設定キー１１３及び操作パネル１０３上の各種キーによって印刷条件を入力した後に試し刷りキー１０６が押下されると試し刷りが行われる。試し刷りキー１０６が押下されると、設定された印刷速度で版胴１２が回転駆動されると共に給紙部４から用紙Ｐが１枚給送される。給送された用紙Ｐはレジストローラ対７１で一時停留された後に版付け時と同じタイミングで給送され、プレスローラ１３によって版胴外周面上の製版済みマスタ６６に圧接される。画像を印刷された用紙Ｐは切換部材１０によって排紙部６へと案内された後、剥離爪８４によって版胴外周面上の製版済みマスタ６６より剥離され、排紙搬送部材８５により搬送されて排紙トレイ８６上に排出される。
【００９１】
試し刷りにより画像の位置あるいは濃度等が確認され、テンキー１０９によって印刷枚数が入力された後に印刷スタートキー１０５が押下されると、給紙部４から用紙Ｐが連続的に給送され、試し刷りと同条件で印刷動作が行われる。そして、設定された印刷枚数が消化されると版胴１２がホームポジションで停止し、両面印刷装置１は再び印刷待機状態となる。
【００９２】
次に、両面印刷キー１１７を押下して両面印刷を行う場合を説明する。オペレータは両面印刷モードであることをＬＥＤ１１７ａの点灯によって確認した後、用紙厚み設定キー１１６を押下して使用する用紙Ｐの厚みを設定する。この両面印刷モードでは、用紙厚み設定キー１１６が押下されない場合には製版スタートキー１０４の入力を拒否し、用紙厚み設定キー１１６が押下されずに製版スタートキー１０４が押下された場合には、制御手段１２９は用紙の厚みを設定して下さいという旨の表示を表示装置１２０に表示させる。本実施例において、用紙厚み設定キー１１６によって設定された用紙Ｐの厚みが「普通紙」あるいは「薄紙」の場合には製版スタートキー１０４の入力が許容され、「厚紙」が設定された場合には用紙Ｐの搬送ジャムを防止するために製版スタートキー１０４の入力が拒否されると共に、制御手段１２９は表示装置１２０に正しい用紙をセットして下さいという旨の警告を表示させる。
【００９３】
給紙トレイ６７上に「普通紙」あるいは「薄紙」である用紙Ｐをセットし、用紙Ｐに基づいた用紙厚みを用紙厚み設定キー１１６によって設定した後、オペレータは製版モード切換キー１３７を押下して左右開きの印刷物を印刷するか上下開きの印刷物を印刷するかを設定する。さらに、余白を設定する場合にはオペレータは余白設定キー１３６を押下する。余白設定キー１３６が押下されると、表示装置１２０に「余白の数値を設定してください」というメッセージが表示され、オペレータはテンキー１０９を押下して余白の数値を入力した後、エンターキー１１０を押下して設定する。これにより先端余白の数値がＲＡＭ１３２に記憶される。この例では、製版モード切換キー１３７により左右開きが選択され、先端余白が５ｍｍ設けられた場合を説明する。
【００９４】
各種設定後に製版スタートキー１０４が押下されると、片面印刷時と同様に各センサ７３，１０２から用紙サイズ検知信号及び原稿サイズ検知信号がそれぞれ制御手段１２９に送られ、制御手段１２９は入力された各信号を比較する。本実施例では、版胴１２で印刷可能な最大用紙サイズがＡ３サイズであるため、両面印刷時において使用可能な用紙サイズはＡ４横置きまでである。原稿サイズと用紙サイズとを比較した結果、両サイズが同じ場合には直ちに画像読取動作が行われ、両サイズが異なる場合には、制御手段１２９はその旨を表示装置１２０に警告として表示してオペレータに注意を促す。用紙サイズと原稿サイズとが異なる場合に、制御手段１２９からの指令で自動的に拡大または縮小の変倍を行って原稿サイズと画像サイズとを整合させる構成、表示装置１２０に縮小や画像データの回転等の手順を表示してオペレータの操作の手助けを行う構成としてもよい。また、用紙サイズがＡ４横置きを超える大きさの場合には、制御手段１２９は両面印刷を禁止して片面印刷を促す旨の警告を表示装置１２０に表示させる。このときに表示装置１２０は警告手段として機能する。この警告の際にブザー等を鳴動させる構成としてもよい。
【００９５】
製版スタートキー１０４が押下されると、画像読取部７では片面印刷時と同様に１枚目の原稿画像が読み取られる。読み取られた原稿画像は画像メモリ１３５内に１枚目の画像データ信号として格納される。１枚目の原稿の読取動作が完了して画像データ信号が画像メモリ１３５内に格納されると、制御手段１２９は表示装置１２０に２枚目の原稿をセットして下さいという旨の表示を行わせる。オペレータはこの表示に従って圧板９４を開放してコンタクトガラス９３上より１枚目の原稿を取り除き、２枚目の原稿を載置して再び圧板９４を閉じる。圧板９４が閉じられたことを図示しないセンサが検知し、コンタクトガラス９３上に原稿があることを他の図示しないセンサが検知すると、１枚目と同様に２枚目の原稿の読取動作が行われる。読み取られた原稿画像は画像メモリ１３５内に２枚目の画像データ信号として格納される。
【００９６】
なお、本実施例において、片面印刷モード時及び両面印刷モード時における原稿の読取動作はオペレータが圧板９４を開閉してコンタクトガラス９３上に読み取られる原稿をセットする構成としたが、ＡＤＦを用いて自動的に原稿をコンタクトガラス９３上に搬送する構成、あるいは図示しない外部装置から画像データを取り込む構成としてもよい。また、両面印刷モード時において１枚の原稿を反転させて搬送し、その表面及び裏面から２枚分の画像データを取得する構成としてもよい。
【００９７】
画像読取部７での画像読取動作と並行して、排版部５では片面印刷時と同様に排版動作が行われる。外周面上より使用済みマスタを剥離された版胴１２は給版待機位置で停止し、図示しない開閉手段によってクランパ１９が開放される。また、この排版動作と並行して製版部３では製版動作が行われる。製版動作は片面印刷モード時と同様の手順で行われるが、マスタ６４にはその熱可塑性樹脂フィルム面に第１製版画像６５Ａと第２製版画像６５Ｂとが形成される。以下に、第１の実施例として製版部３において作成される分割製版済みマスタ６５−１，６５−２について説明する。
【００９８】
図９において、上側はそれぞれＡ４サイズの第１製版画像６５Ａ−１及び第２製版画像６５Ｂ−１を有する分割製版済みマスタ６５−１を、下側はそれぞれＢ５サイズの第１製版画像６５Ａ−２及び第２製版画像６５Ｂ−２を有する分割製版済みマスタ６５−２をそれぞれ示している。先ず、分割製版済みマスタ６５−１について説明する。
【００９９】
分割製版済みマスタ６５−１の先端位置から第１製版画像６５Ａ−１の製版開始位置である第１の位置Ａまでの距離である第１の距離Ｌ１は、プレスローラ１３がクランパ１９を回避するために必要な距離であってその装置毎に特定の値に決められている。例えば東北リコー（株）製ＪＰ１３００では、プレスローラの揺動範囲が７ｍｍであることから距離Ｌ１は８５ｍｍに設定されている。これは、プレスローラを揺動させるためのカムの曲線を急な曲線として距離Ｌ１を短くすると、プレスローラの揺動速度が上昇するためにプレスローラが版胴外周面に衝突するエネルギが上昇し、その結果第１製版画像の先端でプレスローラがバウンドしてしまうことにより、図１０に示すように用紙Ｐに転写された印刷画像において画像抜けあるいは画像むらが発生しやすくなるため、これらの発生を防止するにはある程度の距離が必要となる。この距離は実験の結果、８０〜１００ｍｍ程度必要であることが判明した。
【０１００】
また、第１の位置Ａから第２製版画像６５Ｂ−１の製版開始位置である第２の位置Ｂまでの距離である第２の距離Ｌ２は、距離ｘ１、距離ｗ１、距離ｙ１、距離ｙ２をそれぞれ加えた距離となっている。ここで距離ｘ１は先端余白設定キー１３６によって設定された先端余白の範囲であり、本実施例では５ｍｍに設定されている。距離ｗ１は、第１製版画像６５Ａ−１の画像領域の幅、すなわちＡ４サイズの横幅である２１０ｍｍから先端余白の距離ｘ１の５ｍｍを差し引いた２０５ｍｍに設定されており、距離ｙ１は第２製版画像６５Ｂ−１を印刷するために搬送される用紙Ｐの搬送余裕度を向上させるために必要な距離であって、本実施例では１０ｍｍに設定されている。また、距離ｙ２は第１製版画像６５Ａ−１及び第２製版画像６５Ｂ−１を図に矢印Ｅで示す用紙搬送方向に調整するために必要な距離であって、本実施例では１０ｍｍに設定されている。すなわち本実施例における第２の距離Ｌ２は、５＋２０５＋１０＋１０＝２３０ｍｍに設定されている。
【０１０１】
第２の位置Ｂ以降はｗ２の距離で第２製版画像６５Ｂ−１が製版され、その後方に後端余白の範囲である距離ｘ２が設けられる。本実施例において距離ｗ２は距離ｗ１と同じ２０５ｍｍであり、距離ｘ２は距離ｘ１と同じ５ｍｍに自動的に設定される。第２の位置Ｂから距離ｗ２と距離ｘ２とを加えた距離だけ離れた位置Ｄ１は分割製版済みマスタ６５−１の製版終了位置を示しており、製版開始位置である第１の位置Ａから製版終了位置Ｄ１までの距離、すなわち距離Ｌ２と距離ｗ２と距離ｘ２とを加えた距離は、図６に示した製版済みマスタ６６の第３製版画像６６Ａの幅と同じとなるように設定されている。
【０１０２】
製版終了位置Ｄ１のさらに後方には、版胴１２の開孔部からインキが漏れることを防止するための範囲である距離ｚ１が設けられている。この距離ｚ１は２０ｍｍ〜６０ｍｍ程度必要となるが、本実施例では版胴１２の直径が１８０ｍｍであり、分割製版済みマスタ６５−１の全長が最大で５４５ｍｍであることから２０ｍｍに設定されている。なお、版胴１２の直径を大きくして分割製版済みマスタ６５−１の全長を長くすることにより、距離Ｌ１，ｚ１をさらに大きく取ることが可能となる。
【０１０３】
次に、分割製版済みマスタ６５−２について説明する。分割製版済みマスタ６５−２の第１の位置Ａ及び第２の位置Ｂは分割製版済みマスタ６５−１と同じ位置に設定されており、第１の位置Ａから第２の位置Ｂまでの距離である第２の距離Ｌ２は、距離ｘ３、距離ｗ３、距離ｙ２、距離ｙ３をそれぞれ加えた距離となっている。ここで先端余白の距離ｘ３は距離ｘ１と同じ５ｍｍに設定されており、距離ｗ３は第１製版画像６５Ａ−２の画像領域の幅、すなわちＢ５サイズの横幅である１８２ｍｍから先端余白の距離ｘ３の５ｍｍを差し引いた１７７ｍｍに設定されている。また、距離ｙ３は距離ｙ１にＡ４サイズの横幅とＢ５サイズの横幅との差の２８ｍｍを加えた距離である３８ｍｍに設定されている。
【０１０４】
第２の位置Ｂ以降は、ｗ４の距離で第２製版画像６５Ｂ−２が製版され、その後方に綴じ代を設けるために必要な後端余白の範囲である距離ｘ４が設けられる。本実施例において、距離ｗ４は距離ｗ３と同じ１７７ｍｍであり、距離ｘ４は距離ｘ３と同じ５ｍｍに設定されている。第２の位置Ｂから距離ｗ４と距離ｘ４とを加えた距離だけ離れた位置Ｄ２は分割製版済みマスタ６５−２の製版終了位置を示している。製版終了位置Ｄ２のさらに後方には、版胴１２の開孔部からインキが漏れることを防止するための範囲である距離ｚ２が設けられている。本実施例における距離ｚ２は４８ｍｍとなる。
【０１０５】
第１の実施例における分割製版済みマスタ６５−１，６５−２が上述のような構成であることから、図示しない原稿のサイズがＡ４サイズの場合には分割製版済みマスタ６５−１が、また原稿のサイズがＢ５サイズの場合には分割製版済みマスタ６５−２が製版される。ここでは分割製版済みマスタ６５−１を例にとって第１の実施例における分割製版済みマスタ６５の製版給版動作について説明する。
【０１０６】
製版待機状態時において、マスタ６４の先端は切断手段６０の切断位置に位置している。この状態より製版指令が送られると製版駆動手段１２４が作動し、プラテンローラ５８、各駆動ローラ６２ａ，６３ａが回転駆動されると共に図示しない可動マスタガイド板が搬送位置に位置決めされる。プラテンローラ５８を回転駆動する図示しないステッピングモータのステップ数より、マスタ６４の先端がサーマルヘッド５９による製版位置から第１の距離Ｌ１である８５ｍｍ引き出され、製版位置に第１の位置Ａが到達したと判断されると、画像メモリ１３５内に格納されている１枚目の原稿に対応した画像データ信号が画像処理を施された後に呼び出されるが、本実施例では先端余白が設定されているため図示しないサーマルヘッドドライバはサーマルヘッド５９への動作信号を保留する。そして、さらにマスタ６４の先端が先端余白分の距離ｘ１である５ｍｍ送られると、図示しないサーマルヘッドドライバよりサーマルヘッド５９へと動作信号が送られてサーマルヘッド５９の各発熱素子が選択的に発熱することにより、マスタ６４の熱可塑性樹脂フィルム面に第１製版画像６５Ａ−１が形成される。マスタ６４は製版されつつ搬送され、その先端部が反転ローラ対６３に挟持されると、図示しない可動マスタガイド板が退避位置に移動されると共に反転ローラ対６３の回転が停止される。
【０１０７】
反転ローラ対６３の回転停止後もプラテンローラ５８及びテンションローラ対６２は回転を継続し、サーマルヘッド５９による製版が継続される。そして、画像メモリ１３５内に格納されている１枚目の原稿に対応した画像データ信号が途絶えると、サーマルヘッド５９の作動が停止される。この後もマスタ６４は搬送され、図示しないステッピングモータのステップ数より、マスタ６４が第１の位置Ａから第２の距離Ｌ２である２３０ｍｍ引き出されて第２の位置Ｂが製版位置に到達したと判断されると、画像メモリ１３５内に格納されている２枚目の原稿に対応した画像データ信号が画像処理を施された後に呼び出され、サーマルヘッド５９が再び作動を開始してマスタ６４の熱可塑性樹脂フィルム面に第２製版画像６５Ｂ−１が形成される。この場合も本実施例では後端余白が設定されているので、図示しないサーマルヘッドドライバは製版終了位置Ｄ１よりも後端余白分の距離ｘ２である５ｍｍ手前の位置においてサーマルヘッド５９への動作信号を停止する。
【０１０８】
製版された分割製版済みマスタ６５−１はプラテンローラ５８及びテンションローラ対６２によって搬送されて、マスタストック部６１内に順次貯容される。反転ローラ対６３の停止時においてマスタストック部６１に設けられた図示しない吸引ファンが作動されており、分割製版済みマスタ６５−１は図示しない吸引ファンに吸引されることによって良好にマスタストック部６１内に貯容される。
【０１０９】
上述の製版動作中、排版動作が完了して両面印刷装置１が給版待機状態となると、反転ローラ対６３が回転を開始してマスタストック部６１内に貯容されている分割製版済みマスタ６５−１が開放されているクランパ１９に向けて搬送される。そして、分割製版済みマスタ６５−１の先端部がクランパ１９によって挟持可能な所定位置まで搬送されると、図示しない開閉手段が作動してクランパ１９が閉じられ、分割製版済みマスタ６５−１はその先端部を版胴１２の外周面上に保持される。
【０１１０】
その後、版胴１２が図１において時計回り方向に間欠的に回転駆動され、分割製版済みマスタ６５−１の版胴１２への巻装動作が行われる。このとき反転ローラ対６３は回転を停止しており、駆動ローラ６３ａは内部に設けられた図示しないワンウェイクラッチによって分割製版済みマスタ６５−１の引き出しに伴い連れ回りする。そして、画像メモリ１３５からの２枚目の原稿に対応した画像データ信号が途絶えるとサーマルヘッド５９の作動が停止し、図示しないステッピングモータのステップ数より分割製版済みマスタ６５−１が５４５ｍｍ送られて１版分が製版搬送されたと判断されると、プラテンローラ５８、テンションローラ対６２の回転がそれぞれ停止されると共に切断手段６０が作動して分割製版済みマスタ６５−１が切断される。切断された分割製版済みマスタ６５−１は版胴１２の回転によって製版部３より引き出され、版胴１２がホームポジションまで回転して停止することで製版動作及び給版動作が完了する。  
なお、分割製版済みマスタ６５−２の場合も上述と同様に製版給版動作が行われ、上述と異なる点は画像メモリ１３５から送られてくる各画像データ信号が分割製版済みマスタ６５−１の場合よりも早く途絶える点のみである。
【０１１１】
給版動作に引き続き版付け動作が行われる。版胴１２がホームポジションで停止するとステッピングモータ５２が作動して段差カム４９が回転されると共に図示しないプレスローラ係止手段が作動され、カム部４９ａをカムフォロア４８ｃに当接させる。これにより移動アーム４８が支軸４８ａを中心に揺動されてカム軸４４がカム板４３Ｂをカムフォロア４１に対して当接可能となる位置に移動された後、図示しないプレスローラ係止手段の作動が解除される。
【０１１２】
その後、給紙ローラ６８、分離ローラ６９、各駆動ローラ３６，８７、各吸引ファン３９，９０がそれぞれ駆動されると共に版胴１２が低速で図１の時計回り方向に回転駆動され、給紙トレイ６７上から１枚目の用紙Ｐ１が引き出されてその先端をレジストローラ対７１に挟持される。そして、クランパ１９が切換部材１０と対応する位置を通過するとソレノイド１２３が作動して切換部材１０が第２の位置に位置決めされ、その後、版胴１２上に巻装された分割製版済みマスタ６５−１の版胴回転方向における第１製版画像６５Ａ−１の画像領域先端部、すなわち第１の位置Ａがプレスローラ１３と対応する位置に到達する所定のタイミングで図示しないレジストローラ駆動モータが作動し、駆動ローラ７１ａが回転駆動されることにより給紙トレイ６７上から引き出された用紙Ｐ１が版胴１２とプレスローラ１３との間に向けて給送される。
【０１１３】
上記所定のタイミングにおいて、カムフォロア４１と当接する位置に移動されたカム板４３Ｂはその凸部をカムフォロア４１から離脱させ、プレスローラ１３が印圧ばね４２の付勢力によってその周面を版胴１２の外周面に圧接させる。これによりプレスローラ１３と用紙Ｐ１と分割製版済みマスタ６５−１の第１製版画像６５Ａ−１形成部と版胴１２とが圧接し、インキローラ１６によって版胴１２の内周面に供給されたインキが版胴１２の開口部より滲出して、版胴１２に巻装された図示しない多孔性支持板及び図示しないメッシュスクリーン、及び分割製版済みマスタ６５−１の多孔性支持体に充填された後に第１製版画像６５Ａ−１の穿孔部を介して用紙Ｐ１に転写され、分割製版済みマスタ６５−１のうちの第１製版画像６５Ａ−１が形成された部分の版付けが行われる。
【０１１４】
版付けにより第１製版画像６５Ａ−１に応じた画像をその表面に印刷された用紙Ｐ１は、切換部材１０の先端によってその先端部から版胴外周面上の分割製版済みマスタ６５−１から剥離されつつ、第２の位置を占めた切換部材１０によって再給紙手段９へと案内される。切換部材１０によって下方へと導かれた用紙Ｐ１は、各ガイド板２７，５６間を通ってその先端をフェンス８ａに当接させ、補助トレイ８上に載置される。補助トレイ８上に搬送された用紙Ｐ１は吸引ファン３９の吸引力によって無端ベルト３８上に保持されつつ図１の矢印方向に搬送され、その先端（第１製版画像６５Ａ−１の印刷時における後端）を曲折端部２４ａに当接させる。このとき用紙Ｐ１と無端ベルト３８との間で滑りが発生するので、用紙Ｐ１はその先端を曲折端部２４ａに当接させた状態で停留される。なお、用紙Ｐ１の先端が曲折端部２４ａに当接したときにこれを検知する図示しないセンサを設け、この図示しないセンサが用紙Ｐ１の先端を検知したときに駆動ローラ３６及び吸引ファン３９の作動を停止させる構成としてもよい。
【０１１５】
用紙Ｐ１が補助トレイ８上に案内されている間も版胴１２は回転を継続しており、プレスローラ１３は版胴１２の表面領域との接触を終えるとカム板４３Ｂの凸部がカムフォロア４１に当接することで離間位置を占める。このカム板４３Ｂの働きにより、用紙Ｐが存在しない状態で版胴１２の裏面領域とプレスローラ１３とが圧接することがなく、プレスローラ１３の周面へのインキの転移を防止できる。このとき図示しないプレスローラ係止手段が作動してプレスローラ１３を離間位置で保持した後、ステッピングモータ５２が作動して段差カム４９が回転され、そのカム部４９ｂをカムフォロア４８ｃに当接させる。これにより移動アーム４８が支軸４８ａを中心に揺動され、カム軸４４がカム板４３Ａをカムフォロア４１に対して当接可能となる位置に移動される。
【０１１６】
また、上述の動作とほぼ同時に給紙ローラ６８及び分離ローラ６９が駆動され、給紙トレイ６７上から２枚目の用紙Ｐ２が引き出されてその先端をレジストローラ対７１に挟持される。そして、上述と同様の所定のタイミングで駆動ローラ７１ａが回転駆動され、引き出された用紙Ｐ２は版胴１２とプレスローラ１３との間に向けて給送される。
【０１１７】
一方、プレスローラ接離機構５５では、移動されたカム板４３Ａの凸部がカムフォロア４１と当接可能な位置までカム軸４４が回転すると、図示しないプレスローラ係止手段の作動が解除される。このときカム軸４４と同期して回転している版胴１２は、表面領域及び裏面領域及び中間領域以外の部位である非開口部がプレスローラ１３と対向する位置を占めている。また、版胴１２の表面領域がプレスローラ１３との対向部を通過し、クランパ１９が再び切換部材１０と対応する位置を占めるまでの間にソレノイド１２３が作動され、切換部材１０が第２の位置から第１の位置に変位される。
【０１１８】
用紙Ｐ２がレジストローラ対７１によって給送される所定のタイミングにおいて、カム板４３Ａがその凸部をカムフォロア４１から離脱させることによりプレスローラ１３が印圧ばね４２の付勢力によってその周面を版胴１２の外周面に圧接させる。これによりプレスローラ１３と用紙Ｐ２と分割製版済みマスタ６５の第１製版画像６５Ａ−１形成部と版胴１２とが圧接し、インキローラ１６によって版胴１２の内周面に供給されたインキが版胴１２の開口部、図示しない多孔性支持板及び図示しないメッシュスクリーン、第１製版画像６５Ａ−１の穿孔部を介して用紙Ｐ２に転写される。
【０１１９】
第１製版画像６５Ａ−１に応じた画像を印刷された用紙Ｐ２は、第１の位置を占めた切換部材１０によって排紙搬送部材８５へと案内されると共に、剥離爪８４によってその先端部から版胴外周面上の分割製版済みマスタ６５より剥離される。剥離された用紙Ｐ２は下方へと落下して排紙搬送部材８５へと送られた後に排紙トレイ８６上に排出される。
【０１２０】
また、レジストローラ対７１によって用紙Ｐ２が給送された後、分割製版済みマスタ６５−１の版胴回転方向における第２製版画像６５Ｂ−１の画像領域先端部、すなわち第２の位置Ｂがプレスローラ１３と対応する位置に到達するよりもやや早いタイミングである所定のタイミングでソレノイド３３が作動され、揺動アーム３２が支軸３２ａを中心に図２における時計回り方向に揺動される。これにより再給紙レジストローラ２３が離間位置から圧接位置に揺動され、先端を曲折端部２４ａに当接させた状態で停留されていた用紙Ｐ１が版胴１２と当接して従動回転しているプレスローラ１３の周面に当接される。
【０１２１】
再給紙レジストローラ２３によりプレスローラ１３の周面に当接された用紙Ｐ１は、プレスローラ１３の回転力によってその回転方向下流側へと搬送され、用紙ガイド板３１及び各ローラ２８，２９，３０によってプレスローラ１３の周面に密着した状態で版胴１２との当接部に向けて搬送される。このとき用紙Ｐ１の表面には第１製版画像６５Ａ−１に応じた画像が印刷されているが、再給紙案内部材２２の働きによって用紙Ｐ１がプレスローラ１３の周面に密着されているので、一度プレスローラ１３の周面に接触した用紙Ｐ１がずれることがなく、擦れ汚れあるいは画線の太りといった不具合の発生が防止される。そして、用紙Ｐ２の後端及び中間領域がプレスローラ１３と対応する位置を通過した後、第２の位置Ｂがプレスローラ１３と対応する位置に到達するタイミングで用紙Ｐ１が版胴１２とプレスローラ１３との当接部に送り込まれる。
【０１２２】
これによりプレスローラ１３と用紙Ｐ１と分割製版済みマスタ６５−１の第２製版画像６５Ｂ−１形成部と版胴１２とが圧接し、インキローラ１６によって版胴１２の内周面に供給されたインキが版胴１２の開口部、図示しない多孔性支持板及び図示しないメッシュスクリーン、第２製版画像６５Ｂ−１の穿孔部を介して用紙Ｐ１に転写され、分割製版済みマスタ６５−１のうちの第２製版画像６５Ｂ−１が形成された部分の版付けが行われる。
【０１２３】
第１製版画像６５Ａ−１に応じた画像を表面に、第２製版画像６５Ｂ−１に応じた画像を裏面にそれぞれ印刷された用紙Ｐ１は、第１の位置を占めた切換部材１０によって排紙搬送部材８５へと案内されると共に、剥離爪８４によってその先端部から版胴外周面上の分割製版済みマスタ６５−１より剥離される。剥離された用紙Ｐ１は下方へと落下して排紙搬送部材８５へと送られた後に排紙トレイ８６上に排出され、これにより分割製版済みマスタ６５−１の版付け動作が完了して両面印刷装置１は印刷待機状態となる。
【０１２４】
なお、分割製版済みマスタ６５−２の場合も上述と同様に版付け動作が行われる。この版付け動作時において、分割製版済みマスタ６５−１及び分割製版済みマスタ６５−２における各第１製版画像６５Ａ−１，６５Ａ−２と各第２製版画像６５Ｂ−１，６５Ｂ−２の製版開始位置が共に第１の位置Ａ及び第２の位置Ｂと同じであるので、版付け動作時におけるレジストローラ対７１による用紙Ｐ１及び用紙Ｐ２の給送タイミング及び再給紙手段９からの再給紙タイミングは分割製版済みマスタ６５−１の場合と同じとなる。
【０１２５】
両面印刷装置１が印刷待機状態となった後、印刷速度設定キー１１３及び操作パネル１０３上の各種キーによって印刷条件を入力した後に試し刷りキー１０６が押下されると、試し刷りが行われる。この試し刷りキー１０６の押下時においても制御手段１２９は用紙の厚みを設定して下さいという旨の表示を表示装置１２０に表示させ、「厚紙」が設定された場合には試し刷りキー１０６の入力を拒否して表示装置１２０に正しい用紙をセットして下さいという旨の警告を表示させる。
【０１２６】
試し刷りキー１０６が押下されると、版付け時と同様にカム板４３Ｂがカムフォロア４１に当接可能となる位置にカム軸４４が移動された後に設定された印刷速度で版胴１２が回転駆動され、さらに版付け時と同様に切換部材１０が第２の位置に位置決めされる。版胴１２の回転開始後、給紙部４から１枚目の用紙Ｐ１が給送され、給送された用紙Ｐ１はレジストローラ対７１で一時停留された後に版付け時と同じタイミングで給送されてプレスローラ１３によって分割製版済みマスタ６５−１の第１製版画像６５Ａ−１に圧接される。表面に第１製版画像６５Ａ−１に対応した画像を印刷された用紙Ｐ１は、切換部材１０によって版胴外周面上の分割製版済みマスタ６５−１より剥離されつつ補助トレイ８へと案内される。補助トレイ８上に搬送された用紙Ｐ１は、吸引ファン３９の吸引力によって無端ベルト３８上に保持されつつ先端を曲折端部２４ａに当接させた状態で停留される。
【０１２７】
その後、図示しないプレスローラ係止手段が作動してプレスローラ１３が離間位置で保持され、段差カム４９が回転してカム板４３Ａをカムフォロア４１に対して当接可能となる位置にカム軸４４が移動された後、図示しないプレスローラ係止手段の作動が解除される。切換部材１０は、クランパ１９が再び切換部材１０と対応する位置を占めるまでの間に第２の位置から第１の位置に変位される。また、この動作とほぼ同時に給紙部４から２枚目の用紙Ｐ２が給送され、給送された用紙Ｐ２はレジストローラ対７１で一時停留された後に用紙Ｐ１と同じタイミングで印刷部２に向けて給送される。
【０１２８】
給送された用紙Ｐ２は揺動するプレスローラ１３によって分割製版済みマスタ６５の第１製版画像６５Ａ−１に圧接され、表面に第１製版画像６５Ａ−１に対応した画像を印刷された用紙Ｐ２は第１の位置を占めた切換部材１０によって排紙搬送部材８５へと案内される。用紙Ｐ２は剥離爪８４によって分割製版済みマスタ６５−１より剥離され、下方へと落下して排紙搬送部材８５によって搬送されて排紙トレイ８６上に排出される。
【０１２９】
レジストローラ対７１によって用紙Ｐ２が給送された後、版付け時と同じタイミングでソレノイド３３が作動されて再給紙レジストローラ２３が離間位置から圧接位置へと変位され、一時停留されていた用紙Ｐ１が回転しているプレスローラ１３の周面に当接される。用紙Ｐ１はプレスローラ１３の回転力によって搬送され、再給紙案内部材２２によってプレスローラ１３の周面に密着した状態で印刷部２へと搬送される。
【０１３０】
搬送された用紙Ｐ１はプレスローラ１３によって分割製版済みマスタ６５−１の第２製版画像６５Ｂ−１に圧接され、その両面に各製版画像６５Ａ−１，６５Ｂ−１に対応した画像を印刷された用紙Ｐ１は切換部材１０によって排紙搬送部材８５へと案内される。その後、用紙Ｐ１が剥離爪８４によって分割製版済みマスタ６５−１より剥離され、排紙搬送部材８５によって搬送されて排紙トレイ８６上に排出されることにより試し刷りが完了する。
【０１３１】
試し刷りにより画像の位置あるいは濃度等が確認され、テンキー１０９によって印刷枚数が入力された後に印刷スタートキー１０５が押下されると、印刷動作が行われる。この印刷スタートキー１０５の押下時においても制御手段１２９は用紙の厚みを設定して下さいという旨の表示を表示装置１２０に表示させ、「厚紙」が設定された場合には印刷スタートキー１０５の入力を拒否して表示装置１２０に正しい用紙をセットして下さいという旨の警告を表示させる。本実施例では、印刷枚数としてＮ枚が入力された場合を説明する。
【０１３２】
印刷スタートキー１０５が押下されると、版付け時及び試し刷り時と同様にカム板４３Ｂがカムフォロア４１に対して当接可能となる位置にカム軸４４が移動された後に設定された印刷速度で版胴１２が回転駆動され、さらに版付け時及び試し刷り時と同様に切換部材１０が第２の位置に位置決めされる。版胴１２の回転開始後に給紙部４から１枚目の用紙Ｐ１が給送され、給送された用紙Ｐ１はレジストローラ対７１で一時停留された後に試し刷り時と同じタイミングで給送される。用紙Ｐ１はプレスローラ１３によって分割製版済みマスタ６５−１の第１製版画像６５Ａ−１に圧接されることで、その表面に第１製版画像６５Ａ−１に対応した画像を印刷される。表面に画像を印刷された用紙Ｐ１は、第２の位置を占めた切換部材１０によって剥離案内されて補助トレイ８上に搬送され、先端を曲折端部２４ａに当接させた状態で停留される。
【０１３３】
その後、図示しないプレスローラ係止手段が作動してプレスローラ１３が離間位置で保持され、カム板４３Ａがカムフォロア４１に対して当接可能となる位置にカム軸４４が移動された後、図示しないプレスローラ係止手段の作動が解除される。また、この動作とほぼ同時に給紙部４から２枚目の用紙Ｐ２が給送され、用紙Ｐ２はレジストローラ対７１で一時停留された後に用紙Ｐ１と同じタイミングで印刷部２に向けて給送される。切換部材１０はクランパ１９との衝突を回避すべく第１の位置に位置決めされた後、クランパ１９の通過後に再び第２の位置に位置決めされる。
【０１３４】
給送された用紙Ｐ２はプレスローラ１３によって分割製版済みマスタ６５−１の第１製版画像６５Ａ−１に圧接され、表面に第１製版画像６５Ａ−１に対応した画像を印刷された後、第２の位置を占めた切換部材１０によって剥離案内されて補助トレイ８上に搬送される。給紙部４から用紙Ｐ２が給送された後、試し刷り時と同じタイミングでソレノイド３３が作動され、補助トレイ８上に停留されていた用紙Ｐ１がプレスローラ１３の回転力によって印刷部２へと搬送される。用紙Ｐ１は用紙Ｐ２の後端が版胴１２とプレスローラ１３との当接部を抜けきった後、版胴１２の中間領域がプレスローラ１３と対向する位置を通過して裏面領域がプレスローラ１３と対向するタイミングで版胴１２とプレスローラ１３との当接部に送られ、プレスローラ１３によって分割製版済みマスタ６５−１の第２製版画像６５Ｂ−１に圧接されることでその裏面に第２製版画像６５Ｂ−１に対応した画像を印刷される。
【０１３５】
上述の動作中、版胴１２の中間領域がプレスローラ１３と対向する位置を占める直前にソレノイド１２３が作動され、切換部材１０が第２の位置から第１の位置に変位される。これにより切換部材１０によって案内されていた用紙Ｐ２の後端は、切換部材１０の下面１０ａとプレスローラ１３の周面との間の僅かな隙間を通って補助トレイ８上に案内され、これに続いて搬送された用紙Ｐ１の先端は、切換部材１０の上面１０ｂに沿って排紙搬送部材８５へと案内される。用紙Ｐ１は、剥離爪８４によって分割製版済みマスタ６５−１より剥離された後に排紙搬送部材８５によって搬送され、排紙トレイ８６上に排出される。
【０１３６】
その後、給紙部４から３枚目の用紙Ｐ３が給送され、用紙Ｐ３はレジストローラ対７１で一時停留された後に用紙Ｐ１と同じタイミングで印刷部２に向けて給送される。切換部材１０はクランパ１９との衝突を回避すべく第１の位置に位置決めされ、クランパ１９の通過後に再び第２の位置に位置決めされる。給送された用紙Ｐ３は表面に第１製版画像６５Ａ−１に対応した画像を印刷された後、切換部材１０によって補助トレイ８上に案内される。給紙部４から３枚目の用紙Ｐ３が給送された後に所定のタイミングでソレノイド３３が作動され、補助トレイ８上に停留されていた用紙Ｐ２が印刷部２へと搬送される。用紙Ｐ２は上述の用紙Ｐ１と同様のタイミングで版胴１２とプレスローラ１３との当接部に送られ、その裏面に第２製版画像６５Ｂ−１に対応した画像を印刷される。切換部材１０は上述と同様のタイミングで第２の位置から第１の位置に変位され、用紙Ｐ３の後端は切換部材１０の下面１０ａとプレスローラ１３の周面との間の僅かな隙間を通って補助トレイ８上に案内される。また、これに続いて補助トレイ８上より搬送された用紙Ｐ２の先端は切換部材１０の上面１０ｂに沿って排紙搬送部材８５へと案内され、用紙Ｐ２は剥離爪８４によって分割製版済みマスタ６５−１より剥離された後に排紙搬送部材８５によって搬送され、排紙トレイ８６上に排出される。
【０１３７】
以下、上述と同様の印刷動作が（Ｎ−１）枚目まで行われる。そして、Ｎ枚目の用紙ＰＮが給紙部４から給送されその表面に第１製版画像６５Ａ−１に対応した画像を印刷されて補助トレイ８上に案内された後、（Ｎ−１）枚目の用紙Ｐ（Ｎ−１）がその裏面に第２製版画像６５Ｂ−１に対応した画像を印刷されて排紙トレイ８６上に排出されると、図示しないプレスローラ係止手段が作動してプレスローラ１３が離間位置で保持され、カム板４３Ｃをカムフォロア４１に対して当接可能となる位置にカム軸４４が移動された後、図示しないプレスローラ係止手段の作動が解除される。このとき切換部材１０は第１の位置を占めた状態を維持している。
【０１３８】
そして、分割製版済みマスタ６５−１の第２の位置Ｂがプレスローラ１３と対応する位置に到達するよりも早いタイミングでカムフォロア４１と当接しているカム板４３Ｃはその凸部をカムフォロア４１から離脱させ、プレスローラ１３が印圧ばね４２の付勢力によってその周面を版胴１２の外周面に圧接させる。その後、分割製版済みマスタ６５−１の第２の位置Ｂがプレスローラ１３と対応する位置に到達するよりもやや早いタイミングでソレノイド３３が作動され、揺動アーム３２が支軸３２ａを中心に図２における時計回り方向に揺動される。これにより再給紙レジストローラ２３が離間位置から圧接位置に揺動され、先端を曲折端部２４ａに当接させた状態で停留されていた用紙ＰＮが版胴１２と当接して従動回転しているプレスローラ１３の周面に当接される。
【０１３９】
用紙ＰＮは用紙Ｐ１と同様のタイミングで版胴１２とプレスローラ１３との当接部に送られ、その裏面に第２製版画像６５Ｂ−１に対応した画像を印刷される。画像を印刷された用紙ＰＮは切換部材１０の上面１０ｂに沿って排紙搬送部材８５へと案内され、剥離爪８４によって分割製版済みマスタ６５−１より剥離された後に排紙搬送部材８５によって搬送され、排紙トレイ８６上に排出される。その後、プレスローラ１３は版胴１２の裏面領域との接触を終えるとカム板４３Ｃの凸部がカムフォロア４１に当接することで離間位置を占める。このカム板４３Ｃの働きにより、用紙Ｐが存在しない状態で版胴１２の表面領域とプレスローラ１３とが圧接することがなく、プレスローラ１３の周面へのインキの転移を防止できる。このとき図示しないプレスローラ係止手段が作動してプレスローラ１３が離間位置で保持され、その後に版胴１２がホームポジションで停止して両面印刷装置１は印刷動作を終えて再び印刷待機状態となる。
【０１４０】
この第１の実施例によれば、製版動作時において分割製版済みマスタ６５−１と分割製版済みマスタ６５−２の各第１製版画像６５Ａ−１，６５Ａ−２及び各第２製版画像６５Ｂ−１，６５Ｂ−２の製版開始位置を共に第１の位置Ａ及び第２の位置Ｂと同じとすることにより、版付け動作時及び試し刷り動作時及び印刷動作時における給紙部４からの用紙Ｐの給紙タイミング及び再給紙手段９からの再給紙タイミングを、原稿サイズあるいは用紙サイズにかかわらず表面画像時毎及び裏面画像時毎に全て同じタイミングとすることができ、装置の構成及び制御を簡略化することにより操作性を向上することができる。
【０１４１】
図１１は、製版モード切換キー１３７により上下開きが選択され、先端余白が５ｍｍ設けられた場合の分割製版済みマスタ６５−５を示している。この上下開きの分割製版済みマスタ６５−５では、左右開きの分割製版済みマスタ６５−１と比較して第１の位置Ａ、第２の位置Ｂ、製版終了位置Ｄ１は変化しないが、第１製版画像６５Ａ−５に対して第２製版画像６５Ｂ−５が１８０度回転した状態で製版される点、用紙搬送方向Ｅと直行する用紙幅方向Ｆに先端余白及び後端余白が形成される点が異なっている。先端余白及び後端余白の距離ｔは、第１製版画像６５Ａ−５の上側、反転した第２製版画像６５Ｂ−５の下側にそれぞれ設けられる。図中の距離ｓは、Ａ４サイズの長さ２９７ｍｍから先端余白の距離ｔの５ｍｍを差し引いた２９２ｍｍである。
【０１４２】
この分割製版済みマスタ６５−５の製版動作は、左右開きであって先端余白が設定されていない場合の分割製版済みマスタ６５−１の製版開始位置と同じ位置から第１製版画像６５Ａ−５の製版が開始され、その製版動作が２１０ｍｍの距離で継続される。ただし、この際にマスタ搬送方向の右側部分には先端余白が設定されているため、第１製版画像６５Ａ−５の右側５ｍｍの部分ではサーマルヘッド５９の作動が停止される。その後、ｙ１＋ｙ２の距離である２０ｍｍだけマスタ６４が搬送された後、第２製版画像６５Ｂ−５の製版動作が開始される。このとき、第２製版画像６５Ｂ−５が１８０度回転して製版されるため、画像メモリ１３５からの画像データの読み出しが逆の順序で行われる。また、この場合にもマスタ搬送方向の右側部分には後端余白が設定されているため、第２製版画像６５Ｂ−５の右側５ｍｍの部分ではサーマルヘッド５９の作動が停止される。なお、分割製版済みマスタ６５−２における上下開きも分割製版済みマスタ６５−１と同様に形成される。
【０１４３】
上記実施例において、各製版画像６５Ａ−１，６５Ｂ−１，６５Ａ−２，６５Ｂ−２，６５Ａ−５，６５Ｂ−５を用紙搬送方向Ｅと同方向である左右方向に移動させる場合には、製版スタートキー１０４の押下前に操作パネル１０３上のテンキー１０９、各選択設定キー１２０ａ，１２０ｂ，１２０ｃ，１２０ｄ、４方向キー１１４等を用いて移動方向及び移動量を設定する。移動方向及び移動量が決定されると、ＣＰＵ１３０がこれを計算して図示しないレジストローラ駆動モータ及びソレノイド３３の作動タイミングがずらされ、給紙部４からの用紙Ｐの給紙タイミング及び再給紙手段９からの用紙Ｐの再給紙タイミングがそれぞれずらされることで、用紙Ｐ上に形成される画像位置が移動される。
【０１４４】
図１２は、本発明の第２の実施例において製版部３で作成される分割製版済みマスタ６５−３，６５−４を示している。同図において、上側に示す分割製版済みマスタ６５−３はそれぞれＡ４サイズの第１製版画像６５Ａ−３，６５Ｂ−３を、下側に示す分割製版済みマスタ６５−４はそれぞれＢ５サイズの第１製版画像６５Ａ−４，６５Ｂ−４を有している。この第２の実施例では、各分割製版済みマスタ６５−３，６５−４の先端位置から等距離だけ離れた所定の距離に第１製版画像と第２製版画像との振り分け位置を設定し、この振り分け位置のマスタ搬送方向上流側に第１製版画像を、マスタ搬送方向下流側に第２製版画像をそれぞれ製版する。先ず製版モード切換キー１３７により左右開きが選択され、先端余白が５ｍｍ設けられた場合の分割製版済みマスタ６５−３について説明する。
【０１４５】
分割製版済みマスタ６５−３の先端位置から第１製版画像６５Ａ−３と第２製版画像６５Ｂ−３との振り分け位置である第３の位置Ｃまでの距離である第３の距離Ｌ３は、分割製版済みマスタ６５−３で製版可能な最大サイズであるＡ４サイズの製版領域を基に設定されている。ここで第３の位置Ｃを決定する第３の距離Ｌ３としては、第３の位置Ｃよりも製版時におけるマスタ搬送方向の上流側に第１の実施例と同様の距離ｘ１、距離ｗ１、距離ｙ１をそれぞれ設けたときに、第１の位置Ａまでの距離である第１の距離Ｌ１が８０ｍｍ以上確保可能である位置に設定されている。本実施例では各距離Ｌ１，ｘ１，ｗ１，ｙ１がそれぞれ８５ｍｍ、５ｍｍ、２０５ｍｍ、１０ｍｍであるので、距離Ｌ３はこれらの合計である３０５ｍｍに設定されている。
【０１４６】
第３の位置Ｃよりも製版時におけるマスタ搬送方向の下流側には、第１の実施例と同様に距離ｙ２が設けられ、その下流側に距離ｗ２、距離ｘ２がそれぞれ設けられる。第３の位置Ｃから距離ｙ２と距離ｗ２と距離ｘ２とを加えた距離だけ離れた位置は第１の実施例と同様の製版終了位置Ｄ１となり、その下流側にインキが漏れることを防止するための距離ｚ１が設けられる。この第２の実施例では、版胴１２の直径を大きくして分割製版済みマスタ６５−３の全長を長くすることにより距離Ｌ３をさらに大きく設定することが可能となり、これにより距離Ｌ１，ｚ１を大きくすることが可能となる。上述したように第３の距離Ｌ３の限界値が３００ｍｍ（Ｌ１＝８０ｍｍ、ｘ１＋ｗ１＝２１０ｍｍ、ｙ１＝１０ｍｍの場合）であるので、版胴１２として直径が１９１ｍｍ以上のものを使用した場合には、第３の位置Ｃをクランパ１９と対向する位置（版胴１２の外周面上においてクランパ１９の中心から１８０度離れた位置）に設定することが可能となり、版胴１２に対するプレスローラ１３の押圧範囲を大きく取ることが可能となる。
【０１４７】
次に、分割製版済みマスタ６５−４について説明する。分割製版済みマスタ６５−４の第３の位置Ｃは分割製版済みマスタ６５−３と同じ位置に設定されており、その上流側には距離ｙ１、距離ｗ３、距離ｘ３がそれぞれ設けられ、第３の位置Ｃから各距離ｙ１，ｗ３，ｘ３を加えた距離だけ上流側に遡った位置から第１製版画像６５Ａ−４の製版が行われる。ここで、第３の位置Ｃから各距離ｙ１，ｗ３，ｘ３を加えた距離だけ上流側に遡った位置と第１の位置Ａとの間には距離ｖが存在する。この距離ｖはＡ４サイズの横幅である２１０ｍｍとＢ５サイズの横幅である１８２ｍｍとの差である２８ｍｍとなる。
【０１４８】
第３の位置Ｃの下流側には第１の実施例と同様に距離ｙ２が設けられ、その下流側に距離ｗ４、距離ｘ４がそれぞれ設けられる。第３の位置Ｃから各距離ｙ２，ｗ４，ｘ４を加えた距離だけ下流側の位置は第１の実施例と同様の製版終了位置Ｄ２となり、その下流側に距離ｚ２が設けられる。
【０１４９】
以下に、分割製版済みマスタ６５−４を例にとって第２の実施例における分割製版済みマスタ６５の製版給版動作について説明する。この第２の実施例では、版胴１２の直径に応じた第３の距離であるＬ３の値及び各原稿サイズに応じた距離ｖの値がＲＯＭ１３１に予め記憶されている。例えば原稿サイズがＡ４の場合にはｖの値は０、原稿サイズがＢ５の場合にはｖの値は２８ｍｍである。
【０１５０】
製版待機状態から製版指令が送られると製版駆動手段１２４が作動し、プラテンローラ５８、各駆動ローラ６２ａ，６３ａが回転駆動されると共に図示しない可動マスタガイド板が搬送位置に位置決めされる。プラテンローラ５８を回転駆動する図示しないステッピングモータのステップ数より、マスタ６４の先端がサーマルヘッド５９による製版位置から第１の距離Ｌ１と距離ｖとを加えた距離である１１３ｍｍ引き出され、製版位置にマスタ６４の製版開始位置が到達したと判断されると、画像メモリ１３５内に格納されている１枚目の原稿に対応した画像データ信号が画像処理を施された後に呼び出される。しかし、この第２の実施例でも第１の実施例と同様に先端余白が設定されているので、図示しないサーマルヘッドドライバからサーマルヘッド５９への動作信号は保留される。その後、さらにマスタ６４の先端が先端余白分の距離ｘ３である５ｍｍ送られると、図示しないサーマルヘッドドライバからサーマルヘッド５９に動作信号が送られてサーマルヘッド５９の各発熱素子が選択的に発熱し、マスタ６４の熱可塑性樹脂フィルム面に第１製版画像６５Ａ−４が形成される。マスタ６４は製版されつつ搬送され、その先端部が反転ローラ対６３に挟持されると、図示しない可動マスタガイド板が退避位置に移動されると共に反転ローラ対６３の回転が停止される。
【０１５１】
反転ローラ対６３の回転停止後もプラテンローラ５８及びテンションローラ対６２は回転を継続し、サーマルヘッド５９による製版が継続される。そして、画像メモリ１３５内に格納されている１枚目の原稿に対応した画像データ信号が途絶えると、サーマルヘッド５９の作動が停止される。この後もマスタ６４は搬送され、図示しないステッピングモータのステップ数より、マスタ６４が第３の位置Ｃから距離ｙ２である１０ｍｍ引き出されて第２製版画像６５Ｂ−４の製版開始位置が製版位置に到達したと判断されると、画像メモリ１３５内に格納されている２枚目の原稿に対応した画像データ信号が画像処理を施された後に呼び出され、サーマルヘッド５９が再び作動を開始してマスタ６４の熱可塑性樹脂フィルム面に第２製版画像６５Ｂ−４が形成される。第２の実施例でも後端余白が設定されているので、図示しないサーマルヘッドドライバは製版終了位置Ｄ２よりも後端余白分の距離ｘ４である５ｍｍ手前の位置においてサーマルヘッド５９への動作信号を停止する。製版された分割製版済みマスタ６５−４は、第１の実施例と同様にマスタストック部６１内に貯容される。
【０１５２】
以下、第１の実施例と同様に、排版動作完了後に分割製版済みマスタ６５−４の先端がクランパ１９によって版胴１２の外周面上に保持され、版胴１２が間欠回転される。その後、画像メモリ１３５からの２枚目の原稿に対応した画像データ信号が途絶えるとサーマルヘッド５９の作動が停止し、図示しないステッピングモータのステップ数より分割製版済みマスタ６５−４が５４５ｍｍ送られて１版分が製版搬送されたと判断されると、プラテンローラ５８、テンションローラ対６２の回転がそれぞれ停止されると共に切断手段６０が作動して分割製版済みマスタ６５−４が切断される。切断された分割製版済みマスタ６５−４は版胴１２の回転によって製版部３より引き出され、版胴１２がホームポジションまで回転して停止することで製版動作及び給版動作が完了する。
【０１５３】
この第２の実施例によれば、製版動作時において分割製版済みマスタ６５−３と分割製版済みマスタ６５−４の各第１製版画像６５Ａ−３，６５Ａ−４及び各第２製版画像６５Ｂ−３，６５Ｂ−４を、共に同じ第３の位置Ｃのマスタ搬送方向上流側及び下流側に振り分けて製版することにより、マスタ６４の中央に製版画像を配置することができ、プレスローラ１３のバウンドによる印刷不良あるいはマスタ６４の後端からのインキ漏れによる印刷不良の発生をより一層防止することができる。また、Ａ４サイズよりも小サイズの印刷物を得る場合には、マスタ先端から製版開始位置までの距離を大きく取ることができるので、画像先端付近位置にべた画像が存在する場合であっても巻き上がりの発生を防止することができる。
【０１５４】
上述した第２の実施例においても、上下開きの場合は左右開きの分割製版済みマスタ６５−３，６５−４と同じ位置から各製版画像６５Ａ−３，６５Ｂ−３，６５Ａ−４，６５Ｂ−４が製版され、第１製版画像６５Ａ−３，６５Ａ―４に対して第２製版画像６５Ｂ−３，６５Ｂ−４が１８０度回転した状態で製版される。先端余白及び後端余白は、第１製版画像６５Ａ−３，６５Ａ−４の上側、反転した第２製版画像６５Ｂ−３，６５Ｂ−４の下側にそれぞれ形成される。
【０１５５】
上記各実施例では、製版時においてマスタ６４を搬送するプラテンローラ５８、テンションローラ対６２、反転ローラ対６３のマスタ搬送速度を常に一定とする構成としたが、プラテンローラ５８及び各駆動ローラ６２ａ，６３ａを回転駆動する回転駆動手段として速度可変型のモータを用い、サーマルヘッド５９の各発熱素子を作動させる必要のない非画像領域（図９に示す分割製版済みマスタ６５−１ではＬ１，ｘ１，ｙ１，ｙ２，ｘ２，ｚ１の範囲）でのマスタ６４の搬送速度を画像領域（ｗ１，ｗ２の範囲）での搬送速度に比して高速（例えば画像領域での搬送速度が２ｍｍ／ｓｅｃの場合に非画像領域での搬送速度を４ｍｍ／ｓｅｃとする）とすることによりファーストプリントタイムを短縮することができ、作業効率を向上させることができる。
【０１５６】
さらに上記各実施例では、各分割製版済みマスタ６５−１，６５−３の第２製版画像６５Ｂ−１，６５Ｂ−３の後方及び各分割製版済みマスタ６５−２，６５−４の第２製版画像６５Ｂ−２，６５Ｂ−４の後方にインキ漏れ防止のための距離ｚ１，ｚ２をそれぞれ設ける構成としたが、図１３に示すようにそれぞれの製版終了位置Ｄ１，Ｄ２で切断手段６０を作動させて各分割製版済みマスタ６５−１，６５−２，６５−３，６５−４を切断する構成としてもよい。このような構成とすることにより後端部の余分なマスタをカットすることができ、マスタを節約することができる。なお、この構成を採用する場合には、カットされた後端部分に版胴１２の開孔部が存在する場合があるため、プレスローラ１３の版胴１２に対する押圧範囲が第２製版画像の画像領域となるようなカム板を多段カム４３に組み込み、このカム板を用いて印刷を行うことで版胴１２からのインキ漏れを防止することができる。
【０１５７】
図１４は、本発明の第２の実施例の変形例において製版部３で作成される分割製版済みマスタ６５−３，６５−４を示している。この変形例において、分割製版済みマスタ６５−３は第２の実施例と同様に製版され、分割製版済みマスタ６５−４のみが第２の実施例とは異なっている。
【０１５８】
この変形例における、分割製版済みマスタ６５−４の先端位置から第１製版画像６５Ａ−４と第２製版画像６５Ｂ−４との振り分け位置である第３の位置Ｃ１までの距離である第３の距離Ｌ４は、第１製版画像６５Ａ−４の製版領域を基に設定されている。ここで、第３の位置Ｃ１を決定する第３の距離Ｌ４としては、第３の位置Ｃ１よりも製版時におけるマスタ搬送方向の上流側に第２の実施例と同様の距離ｘ３、距離ｗ３、距離ｙ１をそれぞれ設けたときに、第１の位置Ａまでの距離である第１の距離Ｌ１が８０ｍｍ以上確保可能である位置に設定されている。この変形例では各距離Ｌ１，ｘ３，ｗ３，ｙ１がそれぞれ８５ｍｍ、５ｍｍ、１７７ｍｍ、１０ｍｍであるので、距離Ｌ４はこれらの合計である２７７ｍｍに設定されている。
【０１５９】
第３の位置Ｃ１よりも製版時におけるマスタ搬送方向の下流側には、第２の実施例と同様に距離ｙ２が設けられ、その下流側に距離ｗ４、距離ｘ４がそれぞれ設けられる。第３の位置Ｃ１から距離ｙ２と距離ｗ４と距離ｘ４とを加えた距離だけ離れた位置は製版終了位置Ｄ３となり、その下流側にインキが漏れることを防止するための距離ｚ３が設けられる。この変形例では、Ａ４サイズの場合の第３の距離Ｌ３と他のサイズの場合の第３の距離Ｌ４（Ｂ５サイズの場合）との差である距離ｕの値がＲＯＭ１３１に予め記憶されている。例えば原稿サイズがＢ５の場合にはｕの値は２８ｍｍである。
【０１６０】
この変形例によれば、原稿サイズがＡ４サイズよりも小さい場合に距離ｚ３を大きく取ることができ、マスタ後端からのインキ漏れを確実に防止することが可能となる。また、上述した例のように後端マスタカットを行うと、原稿サイズが小さくなればなるほどｚ３の距離が大きくなり、原稿サイズに応じて最小限のマスタ使用量を達成することができ、マスタを最大限に節約することができる。
【０１６１】
上記各実施例では、再給紙手段９からの用紙Ｐ１の再給紙時において、用紙Ｐ１の印刷面と接触することでプレスローラ１３の表面に用紙Ｐ１からのインキが再転移するが、プレスローラ１３の周面が撥インキ性を有すると共にクリーニングローラ２６がプレスローラ１３の周面をクリーニングするので、用紙Ｐ１からプレスローラ１３の周面への再転移インキ量が減少されると共にプレスローラ１３の周面からの再転移インキの除去が促進され、以下の印刷時においてプレスローラ１３から用紙Ｐの裏面へのインキの再転移を防止できる。
【０１６２】
この両面印刷装置１によれば、片面印刷時には製版部３が製版済みマスタ６６を作成してこれを版胴１２に巻装し、給紙部４より用紙Ｐを給送してこれをプレスローラ１３によって版胴１２に圧接させるので、マスタ６４を無駄に使用することなく通常の孔版印刷装置と同様に片面印刷を行うことができる。また、両面印刷時には製版部３が分割製版済みマスタ６５を作成してこれを版胴１２に巻装し、給紙部４より１枚目の用紙Ｐ１を給送してこの表面をプレスローラ１３によって版胴１２に圧接させた後に補助トレイ８上に排出し、給紙部４より２枚目の用紙Ｐ２を給送してこの表面をプレスローラ１３によって版胴１２に圧接させた後に補助トレイ８上に排出すると共に、再給紙手段９によって１枚目の用紙Ｐ１を反転給送してこの裏面をプレスローラ１３によって版胴１２に圧接させた後に排紙トレイ８６上に排出するので、用紙Ｐに印刷される表面画像及び裏面画像が共にプレスローラ１３により版胴１２から転移されるインキによって形成され、良好な両面印刷物を得ることができる。
【０１６３】
また、印刷部２の構成が版胴１２と版胴１２よりも小径のプレスローラ１３とからなり、補助トレイ８が排紙部６を構成する排紙搬送部材８５の下方に配設されているので、通常の片面印刷用の孔版印刷装置に比して大幅に大型化することなく装置を構成でき、設置スペースの増大を抑制することができる。
【０１６４】
さらに、プレスローラ１３の周面をクリーニングするクリーニング部材として、再給紙レジストローラ２３と同様に図示しない接離手段によってプレスローラ１３の周面に対して接離自在に構成されたものを用いてもよい。この場合、プレスローラ１３の周面に用紙Ｐからのインキが再転移しない片面印刷時にはクリーニング部材をプレスローラ１３の周面から離間させることで、クリーニング部材の劣化を抑制することができる。
【０１６５】
上記各実施例では、両面印刷モードの版付け時及び試し刷り時において、カム板４３Ｂがカムフォロア４１と当接可能となるようにカム軸４４を移動させた後に給紙部４から１枚目の用紙Ｐ１を給送し、用紙Ｐ１の表面に第１製版画像６５Ａ−１を印刷してこれを補助トレイ８に案内した後、カム板４３Ａがカムフォロア４１と当接可能となるようにカム軸４４を移動させて給紙部４から２枚目の用紙Ｐ２を給送し、用紙Ｐ２の表面に第１製版画像６５Ａ−１を印刷してこれを排紙トレイ８６に排出すると共に補助トレイ８から用紙Ｐ１を給送してその裏面に第２製版画像６５Ｂ−１を印刷してこれを排紙トレイ８６に排出する構成としたが、カム板４３Ｂがカムフォロア４１と当接可能となるようにカム軸４４を移動させた後に給紙部４から１枚の用紙Ｐを給送し、用紙Ｐの表面に第１製版画像６５Ａ−１を印刷してこれを補助トレイ８に案内した後にカム板４３Ｃがカムフォロア４１と当接可能となるようにカム軸４４を移動させ、プレスローラ１３の周面を版胴１２の外周面に圧接させた後に分割製版済みマスタ６５−１の第２の位置Ｂがプレスローラ１３と対応する位置に到達するよりもやや早いタイミングでソレノイド３３を作動させ、補助トレイ８から用紙Ｐを給送してその裏面に第２製版画像６５Ｂ−１を印刷してこれを排紙トレイ８６に排出する構成としてもよい。この構成とすることにより版付け及び試し刷りを１枚の用紙Ｐで賄うことができ、コストを低減することができる。
【０１６６】
上記各実施例では、プレスローラ１３を版胴１２に当接させて従動回転させる構成を示したが、図示しないプレスローラ駆動モータによってプレスローラ１３を回転駆動する構成、版胴駆動手段１２１の回転駆動力をギヤやベルト等の図示しない駆動力伝達手段によって伝達してプレスローラ１３を回転駆動する構成としてもよい。
【図面の簡単な説明】
【０１６７】
【図１】本発明の一実施例を採用した両面印刷装置の概略正面図である。
【図２】本発明の一実施例における版胴外周面から離間したプレスローラを示す概略正面図である。
【図３】本発明の一実施例における版胴外周面に接触したプレスローラを示す概略正面図である。
【図４】本発明の一実施例に用いられるプレスローラ接離機構を説明する概略図である。
【図５】本発明の一実施例に用いられる分割製版済みマスタを説明する概略図である。
【図６】本発明の一実施例に用いられる製版済みマスタを説明する概略図である。
【図７】本発明の一実施例に用いられる操作パネルを示す概略図である。
【図８】本発明の一実施例に用いられる制御手段のブロック図である。
【図９】本発明の第１の実施例において作成される左右開きの分割製版済みマスタを説明する概略図である。
【図１０】本発明の第１の実施例における印刷物の不具合状況を説明する概略図である。
【図１１】本発明の第１の実施例において作成される上下開きの分割製版済みマスタを説明する概略図である。
【図１２】本発明の第２の実施例において作成される左右開きの分割製版済みマスタを説明する概略図である。
【図１３】本発明の各実施例の他の実施例において作成される左右開きの分割製版済みマスタを説明する概略図である。
【図１４】本発明の第２の実施例の変形例において作成される左右開きの分割製版済みマスタを説明する概略図である。
【符号の説明】
【０１６８】
１  両面印刷装置
２  印刷部
３  製版部
４  給紙部
６  排紙部
８  補助トレイ
９  再給紙手段
１０  切換部材
１２  版胴
１３  プレスローラ
６０  切断手段
６４  マスタ
６５，６５−１，６５−２，６５−３，６５−４，６５−５  分割製版済みマスタ
６５Ａ，６５Ａ−１，６５Ａ−２，６５Ａ−３，６５Ａ−４，６５Ａ−５  第１製版画像
６５Ｂ，６５Ｂ−１，６５Ｂ−２，６５Ｂ−３，６５Ｂ−４，６５Ｂ−５  第２製版画像
６６  製版済みマスタ
６６Ａ  第３製版画像
６７  給紙トレイ
７３  用紙サイズ検知手段（用紙サイズ検知センサ）
１０２  原稿サイズ検知手段（原稿サイズ検知センサ）
１２０  警告手段（ＬＣＤからなる表示装置）
１３６  余白部設定手段（余白設定キー）
１３７  製版動作切換手段（製版モード切換キー）
Ａ  第１の位置
Ｂ  第２の位置
Ｃ  第３の位置
Ｌ１  第１の距離
Ｌ２  第２の距離
Ｌ３  第３の距離
Ｐ  用紙
ｘ１，ｘ２，ｘ３，ｘ４  余白の距離
【図１】
2008168645.tif 000003
【図２】
2008168645.tif 000004
【図３】
2008168645.tif 000005
【図４】
2008168645.tif 000006
【図５】
2008168645.tif 000007
【図６】
2008168645.tif 000008
【図７】
2008168645.tif 000009
【図８】
2008168645.tif 000010
【図９】
2008168645.tif 000011
【図１０】
2008168645.tif 000012
【図１１】
2008168645.tif 000013
【図１２】
2008168645.tif 000014
【図１３】
2008168645.tif 000015
【図１４】
2008168645.tif 000016
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
原稿上の画像に基づき、両面印刷時においてマスタの長さ方向に第１製版画像と第２製版画像とを有する分割製版済みマスタを製版し、片面印刷時において第１製版画像と第２製版画像との２面分の画像領域をもった第３製版画像を有する製版済みマスタを製版する製版部と、
前記分割製版済みマスタまたは前記製版済みマスタを外周面上に巻装する版胴及び前記版胴に対して接離自在に設けられたプレスローラを有する印刷部と、
用紙を積載する給紙トレイを有し、前記用紙を前記印刷部に向けて給送する給紙部と、
前記印刷部において印刷がなされた印刷済み用紙を機外に排出する排紙部と、
前記印刷部においてその表面に印刷画像を形成された表面印刷済み用紙を一時的に貯容する補助トレイと、
前記補助トレイ上に貯容された表面印刷済み用紙を前記プレスローラの外周面に沿う態様で前記印刷部に向けて再給紙する再給紙手段と、
前記印刷部を通過した用紙を前記補助トレイまたは前記排紙部の何れかに案内する切換部材とを有し、
両面印刷時に、前記給紙部より１枚目の用紙を前記印刷部に給送してその表面に第１製版画像または第２製版画像の何れか一方を印刷し、印刷された１枚目の用紙を前記切換部材により前記補助トレイに案内した後、前記給紙部より２枚目の用紙を前記印刷部に給送してその表面に第１製版画像または第２製版画像の何れか一方を印刷すると共に前記再給紙手段により１枚目の用紙を前記印刷部に再給紙してその裏面に第１製版画像または第２製版画像の何れか他方を印刷し、前記切換部材により１枚目の用紙を前記排紙部に、２枚目の用紙を前記補助トレイにそれぞれ案内し、
片面印刷時に、前記給紙部より用紙を前記印刷部に給送してその表面に第３製版画像を印刷し、印刷された用紙を前記切換部材により前記排紙部に案内する両面印刷装置であって、
両面印刷時において、前記製版部は前記用紙のサイズにかかわらず、前記マスタの先端から前記分割製版済みマスタで製版可能な製版領域に基づいた第３の距離だけ離れた第３の位置のマスタ搬送方向上流側に第１製版画像を、第３の位置のマスタ搬送方向下流側に第２製版画像をそれぞれ作成することを特徴とする両面印刷装置。
【請求項２】
請求項１記載の両面印刷装置において、
両面印刷時において、前記製版部は第１製版画像及び第２製版画像をそれぞれ個別に回転して製版可能であることを特徴とする両面印刷装置。
【請求項３】
請求項２記載の両面印刷装置において、
前記原稿のサイズ及び向きを検知する原稿サイズ検知手段と、前記用紙のサイズ及び向きを検知する用紙サイズ検知手段とを有し、前記用紙の向きに合わせて前記各製版画像を回転して製版することを特徴とする両面印刷装置。
【請求項４】
請求項１ないし３の何れか１つに記載の両面印刷装置において、
両面印刷時に前記製版部は左右開きの印刷物が得られる第１の製版動作と上下開きの印刷物が得られる第２の製版動作とを行うことができ、前記製版部に第１の製版動作を行わせるか第２の製版動作を行わせるかを切り換える製版動作切換手段を有することを特徴とする両面印刷装置。
【請求項５】
請求項１ないし４の何れか１つに記載の両面印刷装置において、
両面印刷時に第１製版画像の画像領域及び第２製版画像の画像領域以外の無製版領域における前記マスタの搬送速度を前記各画像領域における前記マスタの搬送速度に比して高速とすることを特徴とする両面印刷装置。
【請求項６】
請求項１ないし５の何れか１つに記載の両面印刷装置において、
前記製版部は前記マスタを切断する切断手段を有し、第２製版画像または第３製版画像の形成後、前記切断手段は前記マスタの前記各画像領域よりもマスタ搬送方向下流側の未製版部分を通常の長さよりも短い長さで切断することを特徴とする両面印刷装置。
【請求項７】
請求項１ないし６の何れか１つに記載の両面印刷装置において、
両面印刷時に前記給紙トレイ上に積載された前記用紙のサイズが前記製版部で製版された通常の長さの前記分割製版済みマスタ及び製版済みマスタのサイズの２分の１を超えた場合に警告を発する警告手段を有することを特徴とする両面印刷装置。
【請求項８】
請求項１ないし７の何れか１つに記載の両面印刷装置において、
前記製版部は第１製版画像及び第２製版画像及び第３製版画像のそれぞれについて印刷物の綴じ代に対応した余白部を形成可能であることを特徴とする両面印刷装置。
【請求項９】
請求項８記載の両面印刷装置において、
前記余白部の大きさを設定する余白部設定手段を有することを特徴とする両面印刷装置。
【手続補正２】
【補正対象書類名】明細書
【補正対象項目名】００１３
【補正方法】変更
【補正の内容】
【００１３】
請求項１記載の発明は、原稿上の画像に基づき、両面印刷時においてマスタの長さ方向に第１製版画像と第２製版画像とを有する分割製版済みマスタを製版し、片面印刷時において第１製版画像と第２製版画像との２面分の画像領域をもった第３製版画像を有する製版済みマスタを製版する製版部と、前記分割製版済みマスタまたは前記製版済みマスタを外周面上に巻装する版胴及び前記版胴に対して接離自在に設けられたプレスローラを有する印刷部と、用紙を積載する給紙トレイを有し、前記用紙を前記印刷部に向けて給送する給紙部と、前記印刷部において印刷がなされた印刷済み用紙を機外に排出する排紙部と、前記印刷部においてその表面に印刷画像を形成された表面印刷済み用紙を一時的に貯容する補助トレイと、前記補助トレイ上に貯容された表面印刷済み用紙を前記プレスローラの外周面に沿う態様で前記印刷部に向けて再給紙する再給紙手段と、前記印刷部を通過した用紙を前記補助トレイまたは前記排紙部の何れかに案内する切換部材とを有し、両面印刷時に、前記給紙部より１枚目の用紙を前記印刷部に給送してその表面に第１製版画像または第２製版画像の何れか一方を印刷し、印刷された１枚目の用紙を前記切換部材により前記補助トレイに案内した後、前記給紙部より２枚目の用紙を前記印刷部に給送してその表面に第１製版画像または第２製版画像の何れか一方を印刷すると共に前記再給紙手段により１枚目の用紙を前記印刷部に再給紙してその裏面に第１製版画像または第２製版画像の何れか他方を印刷し、前記切換部材により１枚目の用紙を前記排紙部に、２枚目の用紙を前記補助トレイにそれぞれ案内し、片面印刷時に、前記給紙部より用紙を前記印刷部に給送してその表面に第３製版画像を印刷し、印刷された用紙を前記切換部材により前記排紙部に案内する両面印刷装置であって、両面印刷時において、前記製版部は前記用紙のサイズにかかわらず、前記マスタの先端から前記分割製版済みマスタで製版可能な製版領域に基づいた第３の距離だけ離れた第３の位置のマスタ搬送方向上流側に第１製版画像を、第３の位置のマスタ搬送方向下流側に第２製版画像をそれぞれ作成することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
請求項２記載の発明は、請求項１記載の両面印刷装置において、さらに両面印刷時において前記製版部は第１製版画像及び第２製版画像をそれぞれ個別に回転して製版可能であることを特徴とする。
【手続補正５】
【補正対象書類名】明細書
【補正対象項目名】００１６
【補正方法】変更
【補正の内容】
【００１６】
請求項３記載の発明は、請求項２記載の両面印刷装置において、さらに前記原稿のサイズ及び向きを検知する原稿サイズ検知手段と前記用紙のサイズ及び向きを検知する用紙サイズ検知手段とを有し、前記用紙の向きに合わせて前記各製版画像を回転して製版することを特徴とする。
【手続補正６】
【補正対象書類名】明細書
【補正対象項目名】００１７
【補正方法】変更
【補正の内容】
【００１７】
請求項４記載の発明は、請求項１ないし３の何れか１つに記載の両面印刷装置において、さらに両面印刷時に前記製版部は左右開きの印刷物が得られる第１の製版動作と上下開きの印刷物が得られる第２の製版動作とを行うことができ、前記製版部に第１の製版動作を行わせるか第２の製版動作を行わせるかを切り換える製版動作切換手段を有することを特徴とする。
【手続補正７】
【補正対象書類名】明細書
【補正対象項目名】００１８
【補正方法】変更
【補正の内容】
【００１８】
請求項５記載の発明は、請求項１ないし４の何れか１つに記載の両面印刷装置において、さらに両面印刷時に第１製版画像の画像領域及び第２製版画像の画像領域以外の無製版領域における前記マスタの搬送速度を前記各画像領域における前記マスタの搬送速度に比して高速とすることを特徴とする。
【手続補正８】
【補正対象書類名】明細書
【補正対象項目名】００１９
【補正方法】変更
【補正の内容】
【００１９】
請求項６記載の発明は、請求項１ないし５の何れか１つに記載の両面印刷装置において、さらに前記製版部は前記マスタを切断する切断手段を有し、第２製版画像または第３製版画像の形成後、前記切断手段は前記マスタの前記各画像領域よりもマスタ搬送方向下流側の未製版部分を通常の長さよりも短い長さで切断することを特徴とする。
【手続補正９】
【補正対象書類名】明細書
【補正対象項目名】００２０
【補正方法】変更
【補正の内容】
【００２０】
請求項７記載の発明は、請求項１ないし６の何れか１つに記載の両面印刷装置において、さらに両面印刷時に前記給紙トレイ上に積載された前記用紙のサイズが前記製版部で製版された通常の長さの前記分割製版済みマスタ及び製版済みマスタのサイズの２分の１を超えた場合に警告を発する警告手段を有することを特徴とする。
【手続補正１０】
【補正対象書類名】明細書
【補正対象項目名】００２１
【補正方法】変更
【補正の内容】
【００２１】
請求項８記載の発明は、請求項１ないし７の何れか１つに記載の両面印刷装置において、さらに前記製版部は第１製版画像及び第２製版画像及び第３製版画像のそれぞれについて印刷物の綴じ代に対応した余白部を形成可能であることを特徴とする。
【手続補正１１】
【補正対象書類名】明細書
【補正対象項目名】００２２
【補正方法】変更
【補正の内容】
【００２２】
請求項９記載の発明は、請求項８記載の両面印刷装置において、さらに前記余白部の大きさを設定する余白部設定手段を有することを特徴とする。
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】変更
【補正の内容】
【００２４】
本発明によれば、画像領域の異なる各分割製版済みマスタの各第１製版画像及び各第２製版画像を共に同じ第３の位置のマスタ搬送方向上流側及び下流側に振り分けて製版することによりマスタの中央に製版画像を配置することができ、プラテンローラのバウンドによる印刷不良あるいはマスタの後端からのインキ漏れによる印刷不良の発生をより一層防止することができる。また、Ａ４サイズよりも小サイズの印刷物を得る場合には、マスタ先端から製版開始位置までの距離を大きく取ることができるので、画像先端付近位置にべた画像が存在する場合であっても巻き上がりの発生を防止することができる。
【手続補正１４】
【補正対象書類名】明細書
【補正対象項目名】００２５
【補正方法】変更
【補正の内容】
【００２５】
図１は、本発明の一実施形態を採用した両面印刷装置を示している。同図において両面印刷装置１は、印刷部２、製版部３、給紙部４、排版部５、排紙部６、画像読取部７、補助トレイ８、再給紙手段９、切換部材１０等を有している。
【手続補正１５】
【補正対象書類名】明細書
【補正対象項目名】００２６
【補正方法】変更
【補正の内容】
【００２６】
印刷装置本体１１のほぼ中央に配設された印刷部２は、版胴１２とプレスローラ１３とを有している。
版胴１２は、インキ供給パイプを兼ねた支軸１４に回転自在に支持された図示しない一対のフランジと、各フランジの外周面に巻装された図示しない多孔性支持板と、図示しない多孔性支持板の外周面に巻装された図示しないメッシュスクリーンとから主に構成されており、版胴駆動手段１２１（図８参照）によって回転駆動されると共に印刷装置本体１１に対して着脱可能に構成されている。本実施形態において版胴１２は、その直径が１８０ｍｍであって片面印刷時において最大でＡ３サイズの印刷物を得ることが可能に構成されている。
【手続補正１６】
【補正対象書類名】明細書
【補正対象項目名】００２９
【補正方法】変更
【補正の内容】
【００２９】
版胴１２の下方にはプレスローラ１３が配設されている。プレスローラ１３は金属製の芯部１３ａにゴム等の弾性体を巻成して構成されており、版胴１２の軸方向に延在して設けられている。プレスローラ１３は、図２に示すように芯部１３ａの両端部を一対のアーム部材２０によって回転自在に支持されている。ほぼＬ字形状を呈する各アーム部材２０は、その曲折部近傍の部位に取り付けられた揺動軸２１によってそれぞれ一体化されており、揺動軸２１は印刷装置本体１１によって回動自在に支持されている。本実施形態においてプレスローラ１３は、少なくともその周面がポリテトラフルオロエチレン樹脂等の撥インキ性を有する部材によって構成されている。
【手続補正１７】
【補正対象書類名】明細書
【補正対象項目名】００７１
【補正方法】変更
【補正の内容】
【００７１】
用紙サイズ設定キー１１５は用紙サイズを任意で入力する際に押下され、用紙サイズ設定キー１１５で入力された用紙サイズは用紙サイズ検知センサ７３によって検知された用紙サイズに優先される。用紙厚み設定キー１１６は両面印刷に先立って用紙Ｐの厚みを入力する際に押下され、本実施形態では「普通紙」、「薄紙」、「厚紙」の３種類のうちの何れかを選択する構成となっている。
【手続補正１８】
【補正対象書類名】明細書
【補正対象項目名】００９４
【補正方法】変更
【補正の内容】
【００９４】
各種設定後に製版スタートキー１０４が押下されると、片面印刷時と同様に各センサ７３，１０２から用紙サイズ検知信号及び原稿サイズ検知信号がそれぞれ制御手段１２９に送られ、制御手段１２９は入力された各信号を比較する。本実施形態では、版胴１２で印刷可能な最大用紙サイズがＡ３サイズであるため、両面印刷時において使用可能な用紙サイズはＡ４横置きまでである。原稿サイズと用紙サイズとを比較した結果、両サイズが同じ場合には直ちに画像読取動作が行われ、両サイズが異なる場合には、制御手段１２９はその旨を表示装置１２０に警告として表示してオペレータに注意を促す。用紙サイズと原稿サイズとが異なる場合に、制御手段１２９からの指令で自動的に拡大または縮小の変倍を行って原稿サイズと画像サイズとを整合させる構成、表示装置１２０に縮小や画像データの回転等の手順を表示してオペレータの操作の手助けを行う構成としてもよい。また、用紙サイズがＡ４横置きを超える大きさの場合には、制御手段１２９は両面印刷を禁止して片面印刷を促す旨の警告を表示装置１２０に表示させる。このときに表示装置１２０は警告手段として機能する。この警告の際にブザー等を鳴動させる構成としてもよい。
【手続補正１９】
【補正対象書類名】明細書
【補正対象項目名】００９６
【補正方法】変更
【補正の内容】
【００９６】
なお、本実施形態において、片面印刷モード時及び両面印刷モード時における原稿の読取動作はオペレータが圧板９４を開閉してコンタクトガラス９３上に読み取られる原稿をセットする構成としたが、ＡＤＦを用いて自動的に原稿をコンタクトガラス９３上に搬送する構成、あるいは図示しない外部装置から画像データを取り込む構成としてもよい。また、両面印刷モード時において１枚の原稿を反転させて搬送し、その表面及び裏面から２枚分の画像データを取得する構成としてもよい。
【手続補正２０】
【補正対象書類名】明細書
【補正対象項目名】００９７
【補正方法】変更
【補正の内容】
【００９７】
画像読取部７での画像読取動作と並行して、排版部５では片面印刷時と同様に排版動作が行われる。外周面上より使用済みマスタを剥離された版胴１２は給版待機位置で停止し、図示しない開閉手段によってクランパ１９が開放される。また、この排版動作と並行して製版部３では製版動作が行われる。製版動作は片面印刷モード時と同様の手順で行われるが、マスタ６４にはその熱可塑性樹脂フィルム面に第１製版画像６５Ａと第２製版画像６５Ｂとが形成される。以下に、参考例として製版部３において作成される分割製版済みマスタ６５−１，６５−２について説明する。
【手続補正２１】
【補正対象書類名】明細書
【補正対象項目名】０１００
【補正方法】変更
【補正の内容】
【０１００】
また、第１の位置Ａから第２製版画像６５Ｂ−１の製版開始位置である第２の位置Ｂまでの距離である第２の距離Ｌ２は、距離ｘ１、距離ｗ１、距離ｙ２をそれぞれ加えた距離となっている。ここで距離ｘ１は先端余白設定キー１３６によって設定された先端余白の範囲であり、本参考例では５ｍｍに設定されている。距離ｗ１は、第１製版画像６５Ａ−１の画像領域の幅、すなわちＡ４サイズの横幅である２１０ｍｍから先端余白の距離ｘ１の５ｍｍを差し引いた２０５ｍｍに設定されており、距離ｙ１は第２製版画像６５Ｂ−１を印刷するために搬送される用紙Ｐの搬送余裕度を向上させるために必要な距離であって、本参考例では１０ｍｍに設定されている。また、距離ｙ２は第１製版画像６５Ａ−１及び第２製版画像６５Ｂ−１を図に矢印Ｅで示す用紙搬送方向に調整するために必要な距離であって、本参考例では１０ｍｍに設定されている。すなわち本参考例における第２の距離Ｌ２は、５＋２０５＋１０＋１０＝２３０ｍｍに設定されている。
【手続補正２２】
【補正対象書類名】明細書
【補正対象項目名】０１０１
【補正方法】変更
【補正の内容】
【０１０１】
第２の位置Ｂ以降はｗ２の距離で第２製版画像６５Ｂ−１が製版され、その後方に後端余白の範囲である距離ｘ２が設けられる。本参考例において距離ｗ２は距離ｗ１と同じ２０５ｍｍであり、距離ｘ２は距離ｘ１と同じ５ｍｍに自動的に設定される。第２の位置Ｂから距離ｗ２と距離ｘ２とを加えた距離だけ離れた位置Ｄ１は分割製版済みマスタ６５−１の製版終了位置を示しており、製版開始位置である第１の位置Ａから製版終了位置Ｄ１間での距離、すなわち距離Ｌ２と距離ｗ２と距離ｘ２とを加えた距離は、図６に示した製版済みマスタ６６の第３製版画像６６Ａの幅と同じとなるように設定されている。
【手続補正２３】
【補正対象書類名】明細書
【補正対象項目名】０１０２
【補正方法】変更
【補正の内容】
【０１０２】
製版終了位置Ｄ１のさらに後方には、版胴１２の開孔部からインキが漏れることを防止するための範囲である距離ｚ１が設けられている。この距離ｚ１は２０ｍｍ〜６０ｍｍ程度必要となるが、本参考例では版胴１２の直径が１８０ｍｍであり、分割製版済みマスタ６５−１の全長が最大で５４５ｍｍであることから２０ｍｍに設定されている。なお、版胴１２の直径を大きくして分割製版済みマスタ６５−１の全長を長くすることにより、距離Ｌ１，ｚ１をさらに大きく取ることが可能となる。
【手続補正２４】
【補正対象書類名】明細書
【補正対象項目名】０１０４
【補正方法】変更
【補正の内容】
【０１０４】
第２の位置Ｂ以降は、ｗ４の距離で第２製版画像６５Ｂ−２が製版され、その後方に綴じ代を設けるために必要な後端余白の範囲である距離ｘ４が設けられる。本参考例において、距離ｗ４は距離ｗ３と同じ１７７ｍｍであり、距離ｘ４は距離ｘ３と同じ５ｍｍに設定されている。第２の位置Ｂから距離ｗ４と距離ｘ４とを加えた距離だけ離れた位置Ｄ２は分割製版済みマスタ６５−２の製版終了位置を示している。製版終了位置Ｄ２のさらに後方には、版胴１２の開孔部からインキが漏れることを防止するための範囲である距離ｚ２が設けられている。本参考例における距離ｚ２は４８ｍｍとなる。
【手続補正２５】
【補正対象書類名】明細書
【補正対象項目名】０１０５
【補正方法】変更
【補正の内容】
【０１０５】
上記参考例における分割製版済みマスタ６５−１，６５−２が上述のような構成であることから、図示しない原稿のサイズがＡ４サイズの場合には分割製版済みマスタ６５−１が、また原稿のサイズがＢ５サイズの場合には分割製版済みマスタ６５−２が製版される。ここでは分割製版済みマスタ６５−１を例にとって参考例における分割製版済みマスタ６５の製版給版動作について説明する。
【手続補正２６】
【補正対象書類名】明細書
【補正対象項目名】０１０６
【補正方法】変更
【補正の内容】
【０１０６】
製版待機状態時において、マスタ６４の先端は切断手段６０の切断位置に位置している。この状態より製版指令が送られると製版駆動手段１２４が作動し、プラテンローラ５８、各駆動ローラ６２ａ，６３ａが回転駆動される共に図示しない可動マスタガイド板が搬送位置に位置決めされる。プラテンローラ５８を回転駆動する図示しないステッピングモータのステップ数より、マスタ６４の先端がサーマルヘッド５９による製版位置から第１の距離Ｌ１である８５ｍｍ引き出され、製版位置に第１の位置Ａが到達したと判断されると、画像メモリ１３５内に格納されている１枚目の原稿に対応した画像データ信号が画像処理を施された後に呼び出されるが、本参考例では先端余白が設定されているため図示しないサーマルヘッドドライバはサーマルヘッド５９への動作信号を保留する。そして、さらにマスタ６４の先端が先端余白分の距離ｘ１である５ｍｍ送られると、図示しないサーマルヘッドドライバよりサーマルヘッド５９へと動作信号が送られてサーマルヘッド５９の各発熱素子が選択的に発熱することにより、マスタ６４の熱可塑性樹脂フィルム面に第１製版画像６５Ａ−１が形成される。マスタ６４は製版されつつ搬送され、その先端部が反転ローラ対６３に挟持されると、図示しない可動マスタガイド板が退避位置に移動されると共に反転ローラ対６３の回転が停止される。
【手続補正２７】
【補正対象書類名】明細書
【補正対象項目名】０１０７
【補正方法】変更
【補正の内容】
【０１０７】
反転ローラ対６３の回転停止後もプラテンローラ５８及びテンションローラ対６２は回転を継続し、サーマルヘッド５９による製版が継続される。そして、画像メモリ１３５内に格納されている１枚目の原稿に対応した画像データ信号が途絶えると、サーマルヘッド５９の作動が停止される。この後もマスタ６４は搬送され、図示しないステッピングモータのステップ数より、マスタ６４が第１の位置Ａから第２の距離Ｌ２である２３０ｍｍ引き出されて第２の位置Ｂが製版位置に到達したと判断されると、画像メモリ１３５内に格納されている２枚目の原稿に対応した画像データ信号が画像処理を施された後に呼び出され、サーマルヘッド５９が再び作動を開始してマスタ６４の熱可塑性樹脂フィルム面に第２製版画像６５Ｂ−１が形成される。この場合も本参考例では後端余白が設定されているので、図示しないサーマルヘッドドライバは製版終了位置Ｄ１よりも後端余白分の距離ｘ２である５ｍｍ手前の位置においてサーマルヘッド５９への動作信号を停止する。
【手続補正２８】
【補正対象書類名】明細書
【補正対象項目名】０１３１
【補正方法】変更
【補正の内容】
【０１３１】
試し刷りにより画像の位置あるいは濃度等が確認され、テンキー１０９によって印刷枚数が入力された後に印刷スタートキー１０５が押下されると、印刷動作が行われる。この印刷スタートキー１０５の押下時においても制御手段１２９は用紙の厚みを設定してくださいという旨の表示を表示装置１２０に表示させ、「厚紙」が設定された場合には印刷スタートキー１０５の入力を拒否して表示装置１２０に正しい用紙をセットして下さいという旨の警告を表示させる。本参考例では、印刷枚数としてＮ枚が入力された場合を説明する。
【手続補正２９】
【補正対象書類名】明細書
【補正対象項目名】０１４０
【補正方法】変更
【補正の内容】
【０１４０】
この参考例によれば、製版動作時において分割製版済みマスタ６５−１と分割製版済みマスタ６５−２の各第１製版画像６５Ａ−１，６５Ａ―２及び各第２製版画像６５Ｂ−１，６５Ｂ−２の製版開始位置を共に第１の位置Ａ及び第２の位置Ｂと同じとすることにより、版付け動作時及び試し刷り動作時及び印刷動作時における給紙部４からの用紙Ｐの給紙タイミング及び再給紙手段９からの再給紙タイミングを、原稿サイズあるいは用紙サイズにかかわらず表面画像時毎及び裏面画像時毎に全て同じタイミングとすることができ、装置の構成及び制御を簡略化することにより操作性を向上することができる。
【手続補正３０】
【補正対象書類名】明細書
【補正対象項目名】０１４３
【補正方法】変更
【補正の内容】
【０１４３】
上記参考例において、各製版画像６５Ａ―１，６５Ｂ−１，６５Ａ−２，６５Ｂ−２，６５Ａ−５，６５Ｂ−５を用紙搬送方向Ｅと同方向である左右方向に移動させる場合には、製版スタートキー１０４の押下前に操作パネル１０３上のテンキー１０９、各選択設定キー１２０ａ，１２０ｂ，１２０ｃ，１２０ｄ、４方向キー１１４等を用いて移動方向及び移動量を設定する。移動方向及び移動量が決定されると、ＣＰＵ１３０がこれを計算して図示しないレジストローラ駆動モータ及びソレノイド３３の作動タイミングがずらされ、給紙部４からの用紙Ｐの給紙タイミング及び再給紙手段９からの用紙Ｐの再給紙タイミングがそれぞれずらされることで、用紙Ｐ上に形成される画像位置が移動される。
【手続補正３１】
【補正対象書類名】明細書
【補正対象項目名】０１４４
【補正方法】変更
【補正の内容】
【０１４４】
図１２は、本発明の一実施形態において製版部３で作成される分割製版済みマスタ６５−３，６５−４を示している。同図において、上側に示す分割製版済みマスタ６５−３はそれぞれＡ４サイズの第１製版画像６５Ａ−３，６５Ｂ−３を、下側に示す分割製版済みマスタ６５−４はそれぞれＢ５サイズの第１製版画像６５Ａ−４，６５Ｂ−４を有している。本実施形態では、各分割製版済みマスタ６５−３，６５−４の先端位置から等距離だけ離れた所定の距離に第１製版画像と第２製版画像との振り分け位置を設定し、この振り分け位置のマスタ搬送方向上流側に第１製版画像を、マスタ搬送方向下流側に第２製版画像をそれぞれ製版する。先ず製版モード切換キー１３７により左右開きが選択され、先端余白が５ｍｍ設けられた場合の分割製版済みマスタ６５−３について説明する。
【手続補正３２】
【補正対象書類名】明細書
【補正対象項目名】０１４５
【補正方法】変更
【補正の内容】
【０１４５】
分割製版済みマスタ６５−３の先端位置から第１製版画像６５Ａ−３と第２製版画像６５Ｂ−３との振り分け位置である第３の位置Ｃまでの距離である第３の距離Ｌ３は、分割製版済みマスタ６５−３で製版可能な最大サイズであるＡ４サイズの製版領域を基に設定されている。ここで第３の位置Ｃを決定する第３の距離Ｌ３としては、第３の位置Ｃよりも製版時におけるマスタ搬送方向の上流側に参考例と同様の距離ｘ１、距離ｗ１、距離ｙ１をそれぞれ設けたときに、第１の位置Ａまでの距離である第１の距離Ｌ１が８０ｍｍ以上確保可能である位置に設定されている。本実施形態では各距離Ｌ１，ｘ１，ｗ１，ｙ１がそれぞれ８５ｍｍ、５ｍｍ、２０５ｍｍ、１０ｍｍであるので、距離Ｌ３はこれらの合計である３０５ｍｍに設定されている。
【手続補正３３】
【補正対象書類名】明細書
【補正対象項目名】０１４６
【補正方法】変更
【補正の内容】
【０１４６】
第３の位置Ｃよりも製版時におけるマスタ搬送方向の下流側には、参考例と同様に距離ｙ２が設けられ、その下流側に距離ｗ２、距離ｘ２がそれぞれ設けられる。第３の位置Ｃから距離ｙ２と距離ｗ２と距離ｘ２とを加えた距離だけ離れた位置は参考例と同様の製版終了位置Ｄ１となり、その下流側にインキが漏れることを防止するための距離ｚ１が設けられる。本実施形態では、版胴１２の直径を大きくして分割製版済みマスタ６５−３の全長を長くすることにより距離Ｌ３をさらに大きく設定することが可能となり、これにより距離Ｌ１，ｚ１を大きくすることが可能となる。上述したように第３の距離Ｌ３の限界値が３００ｍｍ（Ｌ１＝８０ｍｍ、ｘ１＋ｗ１＝２１０ｍｍ、ｙ１＝１０ｍｍの場合）であるので、版胴１２として直径が１９１ｍｍ以上のものを使用した場合には、第３の位置Ｃをクランパ１９と対向する位置（版胴１２の外周面上においてクランパ１９の中心から１８０度離れた位置）に設定することが可能となり、版胴１２に対するプレスローラ１３の押圧範囲を大きく取ることが可能となる。
【手続補正３４】
【補正対象書類名】明細書
【補正対象項目名】０１４８
【補正方法】変更
【補正の内容】
【０１４８】
第３の位置Ｃの下流側には参考例と同様に距離ｙ２が設けられ、その下流側に距離ｗ４、距離ｘ４がそれぞれ設けられる。第３の位置Ｃから各距離ｙ２，ｗ４，ｘ４を加えた距離だけ下流側の位置は参考例と同様の製版終了位置Ｄ２となり、その下流側に距離ｚ２が設けられる。
【手続補正３５】
【補正対象書類名】明細書
【補正対象項目名】０１４９
【補正方法】変更
【補正の内容】
【０１４９】
以下に、分割製版済みマスタ６５−４を例にとって本実施形態における分割製版済みマスタ６５の製版給版動作について説明する。本実施形態では、版胴１２の直径に応じた第３の距離であるＬ３の値及び各原稿サイズに応じた距離ｖの値がＲＯＭ１３１に予め記憶されている。例えば原稿サイズがＡ４の場合にはｖの値は０、原稿サイズがＢ５の場合にはｖの値は２８ｍｍである。
【手続補正３６】
【補正対象書類名】明細書
【補正対象項目名】０１５０
【補正方法】変更
【補正の内容】
【０１５０】
製版待機状態から製版指令が送られると製版駆動手段１２４が作動し、プラテンローラ５８、各駆動ローラ６２ａ，６３ａが回転駆動されると共に図示しない可動マスタガイド板が搬送位置に位置決めされる。プラテンローラ５８を回転駆動する図示しないステッピングモータのステップ数より、マスタ６４の先端がサーマルヘッド５９による製版位置から第１の距離Ｌ１と距離ｖとを加えた距離である１１３ｍｍ引き出され、製版位置にマスタ６４の製版開始位置が到達したと判断されると、画像メモリ１３５内に格納されている１枚目の原稿に対応した画像データ信号が画像処理を施された後に呼び出される。しかし、本実施形態でも参考例と同様に先端余白が設定されているので、図示しないサーマルヘッドドライバからサーマルヘッド５９への動作信号は保留される。その後、さらにマスタ６４の先端が先端余白分の距離ｘ３である５ｍｍ送られると、図示しないサーマルヘッドドライバからサーマルヘッド５９に動作信号が送られてサーマルヘッド５９の各発熱素子が選択的に発熱し、マスタ６４の熱可塑性樹脂フィルム面に第１製版画像６５Ａ−４が形成される。マスタ６４は製版されつつ搬送され、その先端部が反転ローラ対６３に挟持されると、図示しない可動マスタガイド板が退避位置に移動されると共に反転ローラ対６３の回転が停止される。
【手続補正３７】
【補正対象書類名】明細書
【補正対象項目名】０１５１
【補正方法】変更
【補正の内容】
【０１５１】
反転ローラ対６３の回転停止後もプラテンローラ５８及びテンションローラ対６２は回転を継続し、サーマルヘッド５９による製版が継続される。そして、画像メモリ１３５内に格納されている１枚目の原稿に対応した画像データ信号が途絶えると、サーマルヘッド５９の作動が停止される。この後もマスタ６４は搬送され、図示しないステッピングモータのステップ数より、マスタ６４が第３の位置Ｃから距離ｙ２である１０ｍｍ引き出されて第２製版画像６５Ｂ−４の製版開始位置が製版位置に到達したと判断されると、画像メモリ１３５内に格納されている２枚目の原稿に対応した画像データ信号が画像処理を施された後に呼び出され、サーマルヘッド５９が再び作動を開始してマスタ６４の熱可塑性樹脂フィルム面に第２製版画像６５Ｂ−４が形成される。本実施形態でも後端余白が設定されているので、図示しないサーマルヘッドドライバは製版終了位置Ｄ２よりも後端余白分の距離ｘ４である５ｍｍ手前の位置においてサーマルヘッド５９への動作信号を停止する。製版された分割製版済みマスタ６５−４は、参考例と同様にマスタストック部６１内に貯容される。
【手続補正３８】
【補正対象書類名】明細書
【補正対象項目名】０１５２
【補正方法】変更
【補正の内容】
【０１５２】
以下、参考例と同様に、排版動作完了後に分割製版済みマスタ６５−４の先端がクランパ１９によって版胴１２の外周面上に保持され、版胴１２が間欠回転される。その後、画像メモリ１３５からの２枚目の原稿に対応した画像データ信号が途絶えるとサーマルヘッド５９の作動が停止し、図示しないステッピングモータのステップ数より分割製版済みマスタ６５−４が５４５ｍｍ送られて１版分が製版搬送されたと判断されると、プラテンローラ５８、テンションローラ対６２の回転がそれぞれ停止されると共に切断手段６０が作動して分割製版済みマスタ６５−４が切断される。切断された分割製版済みマスタ６５−４は版胴１２の回転によって製版部３より引き出され、版胴１２がホームポジションまで回転して停止することで製版動作及び給版動作が完了する。
【手続補正３９】
【補正対象書類名】明細書
【補正対象項目名】０１５３
【補正方法】変更
【補正の内容】
【０１５３】
本実施形態によれば、製版動作時において分割製版済みマスタ６５−３と分割製版済みマスタ６５−４の各第１製版画像６５Ａ−３，６５Ａ−４及び各第２製版画像６５Ｂ−３，６５Ｂ−４を、共に同じ第３の位置Ｃのマスタ搬送方向上流側及び下流側に振り分けて製版することにより、マスタ６４の中央に製版画像を配置することができ、プレスローラ１３のバウンドによる印刷不良あるいはマスタ６４の後端からのインキ漏れによる印刷不良の発生をより一層防止することができる。また、Ａ４サイズよりも小サイズの印刷物を得る場合には、マスタ先端から製版開始位置までの距離を大きく取ることができるので、画像先端付近位置にべた画像が存在する場合であっても巻き上がりの発生を防止することができる。
【手続補正４０】
【補正対象書類名】明細書
【補正対象項目名】０１５４
【補正方法】変更
【補正の内容】
【０１５４】
上述した実施形態においても、上下開きの場合は左右開きの分割製版済みマスタ６５−３，６５−４と同じ位置から各製版画像６５Ａ−３，６５Ｂ−３，６５Ａ−４，６５Ｂ−４が製版され、第１製版画像６５Ａ−３，６５Ａ―４に対して第２製版画像６５Ｂ−３，６５Ｂ−４が１８０度回転した状態で製版される。先端余白及び後端余白は、第１製版画像６５Ａ−３，６５Ａ−４の上側、反転した第２製版画像６５Ｂ−３，６５Ｂ−４の下側にそれぞれ形成される。
【手続補正４１】
【補正対象書類名】明細書
【補正対象項目名】０１５５
【補正方法】変更
【補正の内容】
【０１５５】
上記実施形態及び参考例では、製版時においてマスタ６４を搬送するプラテンローラ５８、テンションローラ対６２、反転ローラ対６３のマスタ搬送速度を常に一定とする構成としたが、プラテンローラ５８及び各駆動ローラ６２ａ，６３ａを回転駆動する回転駆動手段として速度可変型のモータを用い、サーマルヘッド５９の各発熱素子を作動させる必要のない非画像領域（図９に示す分割製版済みマスタ６５−１ではＬ１，ｘ１，ｙ１，ｙ２，ｘ２，ｚ１の範囲）でのマスタ６４の搬送速度を画像領域（ｗ１，ｗ２の範囲）での搬送速度に比して高速（例えば画像領域での搬送速度が２ｍｍ／ｓｅｃの場合に非画像領域での搬送速度を４ｍｍ／ｓｅｃとする）とすることによりファーストプリントタイムを短縮することができ、作業効率を向上させることができる。
【手続補正４２】
【補正対象書類名】明細書
【補正対象項目名】０１５６
【補正方法】変更
【補正の内容】
【０１５６】
さらに上記実施形態及び参考例では、各分割製版済みマスタ６５−１，６５−３の第２製版画像６５Ｂ−１，６５Ｂ−３の後方及び各分割製版済みマスタ６５−２，６５−４の第２製版画像６５Ｂ−２，６５Ｂ−４の後方にインキ漏れ防止のための距離ｚ１，ｚ２をそれぞれ設ける構成としたが、図１３に示すようにそれぞれの製版終了位置Ｄ１，Ｄ２で切断手段６０を作動させて各分割製版済みマスタ６５−１，６５−２，６５−３，６５−４を切断する構成としてもよい。このような構成とすることにより後端部の余分なマスタをカットすることができ、マスタを節約することができる。なお、この構成を採用する場合には、カットされた後端部分に版胴１２の開孔部が存在する場合があるため、プレスローラ１３の版胴１２に対する押圧範囲が第２製版画像の画像領域となるようなカム板を多段カム４３に組み込み、このカム板を用いて印刷を行うことで版胴１２からのインキ漏れを防止することができる。
【手続補正４３】
【補正対象書類名】明細書
【補正対象項目名】０１５７
【補正方法】変更
【補正の内容】
【０１５７】
図１４は、本発明の一実施形態の変形例において製版部３で作成される分割製版済みマスタ６５−３，６５−４を示している。この変形例において、分割製版済みマスタ６５−３は第２の実施例と同様に製版され、分割製版済みマスタ６５−４のみが第２の実施例とは異なっている。
【手続補正４４】
【補正対象書類名】明細書
【補正対象項目名】０１５８
【補正方法】変更
【補正の内容】
【０１５８】
この変形例における、分割製版済みマスタ６５−４の先端位置から第１製版画像６５Ａ−４と第２製版画像６５Ｂ−４との振り分け位置である第３の位置Ｃ１までの距離である第３の距離Ｌ４は、第１製版画像６５Ａ−４の製版領域を基に設定されている。ここで、第３の位置Ｃ１を決定する第３の距離Ｌ４としては、第３の位置Ｃ１よりも製版時におけるマスタ搬送方向の上流側に上記実施形態と同様の距離ｘ３、距離ｗ３、距離ｙ１をそれぞれ設けたときに、第１の位置Ａまでの距離である第１の距離Ｌ１が８０ｍｍ以上確保可能である位置に設定されている。この変形例では各距離Ｌ１，ｘ３，ｗ３，ｙ１がそれぞれ８５ｍｍ、５ｍｍ、１７７ｍｍ、１０ｍｍであるので、距離Ｌ４はこれらの合計である２７７ｍｍに設定されている。
【手続補正４５】
【補正対象書類名】明細書
【補正対象項目名】０１５９
【補正方法】変更
【補正の内容】
【０１５９】
第３の位置Ｃ１よりも製版時におけるマスタ搬送方向の下流側には、上記実施形態と同様に距離ｙ２が設けられ、その下流側に距離ｗ４、距離ｘ４がそれぞれ設けられる。第３の位置Ｃ１から距離ｙ２と距離ｗ４と距離ｘ４とを加えた距離だけ離れた位置は製版終了位置Ｄ３となり、その下流側にインキが漏れることを防止するための距離ｚ３が設けられる。この変形例では、Ａ４サイズの場合の第３の距離Ｌ３と他のサイズの場合の第３の距離Ｌ４（Ｂ５サイズの場合）との差である距離ｕの値がＲＯＭ１３１に予め記憶されている。例えば原稿サイズがＢ５の場合にはｕの値は２８ｍｍである。
【手続補正４６】
【補正対象書類名】明細書
【補正対象項目名】０１６１
【補正方法】変更
【補正の内容】
【０１６１】
上記実施形態及び変形例及び参考例では、再給紙手段９からの用紙Ｐ１の再給紙時において、用紙Ｐ１の印刷面と接触することでプレスローラ１３の表面に用紙Ｐ１からのインキが再転移するが、プレスローラ１３の周面が撥インキ性を有すると共にクリーニングローラ２６がプレスローラ１３の周面をクリーニングするので、用紙Ｐ１からプレスローラ１３の周面への再転移インキ量が減少されると共にプレスローラ１３の周面からの再転移インキの除去が促進され、以下の印刷時においてプレスローラ１３から用紙Ｐの裏面へのインキの再転移を防止できる。
【手続補正４７】
【補正対象書類名】明細書
【補正対象項目名】０１６５
【補正方法】変更
【補正の内容】
【０１６５】
上記実施形態及び変形例及び参考例では、両面印刷モードの版付け時及び試し刷り時において、カム板４３Ｂがカムフォロア４１と当接可能となるようにカム軸４４を移動させた後に給紙部４から１枚目の用紙Ｐ１を給送し、用紙Ｐ１の表面に第１製版画像６５Ａ−１を印刷してこれを補助トレイ８に案内した後、カム板４３Ａがカムフォロア４１と当接可能となるようにカム軸４４を移動させて給紙部４から２枚目の用紙Ｐ２を給送し、用紙Ｐ２の表面に第１製版画像６５Ａ−１を印刷してこれを排紙トレイ８６に排出すると共に補助トレイ８から用紙Ｐ１を給送してその裏面に第２製版画像６５Ｂ−１を印刷してこれを排紙トレイ８６に排出する構成としたが、カム板４３Ｂがカムフォロア４１と当接可能となるようにカム軸４４を移動させた後に給紙部４から１枚の用紙Ｐを給送し、用紙Ｐの表面に第１製版画像６５Ａ−１を印刷してこれを補助トレイ８に案内した後にカム板４３Ｃがカムフォロア４１と当接可能となるようにカム軸４４を移動させ、プレスローラ１３の周面を版胴１２の外周面に圧接させた後に分割製版済みマスタ６５−１の第２の位置Ｂがプレスローラ１３と対応する位置に到達するよりもやや早いタイミングでソレノイド３３を作動させ、補助トレイ８から用紙Ｐを給送してその裏面に第２製版画像６５Ｂ−１を印刷してこれを排紙トレイ８６に排出する構成としてもよい。この構成とすることにより版付け及び試し刷りを１枚の用紙Ｐで賄うことができ、コストを低減することができる。
【手続補正４８】
【補正対象書類名】明細書
【補正対象項目名】０１６６
【補正方法】変更
【補正の内容】
【０１６６】
上記実施形態及び変形例及び参考例では、プレスローラ１３を版胴１２に当接させて従動回転させる構成を示したが、図示しないプレスローラ駆動モータによってプレスローラ１３を回転駆動する構成、版胴駆動手段１２１の回転駆動力をギヤやベルト等の図示しない駆動力伝達手段によって伝達してプレスローラ１３を回転駆動する構成としてもよい。
【手続補正４９】
【補正対象書類名】明細書
【補正対象項目名】０１６７
【補正方法】変更
【補正の内容】
【０１６７】
【図１】本発明の一実施形態を採用した両面印刷装置の概略正面図である。
【図２】本発明の一実施形態における版胴外周面から離間したプレスローラを示す概略正面図である。
【図３】本発明の一実施形態における版胴外周面に接触したプレスローラを示す概略正面図である。
【図４】本発明の一実施形態に用いられるプレスローラ接離機構を説明する概略図である。
【図５】本発明の一実施形態に用いられる分割製版済みマスタを説明する概略図である。
【図６】本発明の一実施形態に用いられる製版済みマスタを説明する概略図である。
【図７】本発明の一実施形態に用いられる操作パネルを示す概略図である。
【図８】本発明の一実施形態に用いられる制御手段のブロック図である。
【図９】本発明の参考例において作成される左右開きの分割製版済みマスタを説明する概略図である。
【図１０】本発明の参考例における印刷物の不具合状況を説明する概略図である。
【図１１】本発明の参考例において作成される上下開きの分割製版済みマスタを説明する概略図である。
【図１２】本発明の一実施形態において作成される左右開きの分割製版済みマスタを説明する概略図である。
【図１３】本発明の一実施形態及び参考例の変形例において作成される左右開きの分割製版済みマスタを説明する概略図である。
【図１４】本発明の一実施形態の変形例において作成される左右開きの分割製版済みマスタを説明する概略図である。